(57)【特許請求の範囲】
【請求項１】
ユーザ機器（UE）によって送信された通信モード要求指示を受信するように構成された受信モジュールであって、前記通信モード要求指示は、前記UEが使用する必要がある通信モードを指示するために使用され、前記通信モードは、デバイス間（D2D）通信またはセルラー通信を含む、受信モジュールと、
前記通信モード要求指示に従って、前記UEによって使用される予定の通信モードを判定するように構成された処理モジュールと、
前記UEによって使用される予定の判定された前記通信モードに関する情報を前記UEに送信するように構成された送信モジュールと
を備え、
前記処理モジュールは、前記UEによって送信された発見信号受信指示に従って、前記UEによって使用される予定の前記通信モードがセルラー通信であると判定するようにさらに構成され、前記発見信号受信指示は、前記UEがD2D通信を実施していることを指示し、前記UEが別のUEによって送信された発見信号を受信したことを示すために使用される、基地局。
【請求項２】
前記処理モジュールは、前記UEによって現在実施されているサービスの属性が第1の切替え条件を満たす場合、前記通信モード要求指示によって指示される前記通信モードに前記UEが切り替わることができると判定するようにさらに構成されるか、または
前記処理モジュールは、前記UEによって現在実施されているサービスの属性とプリセットサービス優先度とが第2の切替え条件を満たす場合、前記通信モード要求指示によって指示される前記通信モードに前記UEが切り替わることができると判定するようにさらに構成される、請求項1に記載の基地局。
【請求項３】
前記受信モジュールは、前記UEによって送信された無線リソース制御（RRC）接続セットアップ完了メッセージを受信するようにさらに構成され、前記RRC接続セットアップ完了メッセージは、前記発見信号受信指示を含む、請求項1または2に記載の基地局。
【請求項４】
前記処理モジュールは、D2D通信におけるダウンリンク信号とセルラー通信におけるダウンリンク信号とがリソースの時間領域ロケーションにおいて重複する場合、前記D2D通信におけるダウンリンク信号と前記セルラー通信におけるダウンリンク信号とが前記リソースの異なる時間領域ロケーションに設定されるように、前記セルラー通信におけるダウンリンク信号に対応するサブフレームを変位させるようにさらに構成され、
前記送信モジュールは、前記UEにダウンリンク信号サブフレーム変位指示を送信するようにさらに構成され、前記ダウンリンク信号サブフレーム変位指示は、前記UEが前記リソースの前記異なる時間領域ロケーションにおいて、前記ダウンリンク信号サブフレーム変位指示に従って前記D2D通信におけるダウンリンク信号および／または前記セルラー通信におけるダウンリンク信号を受信するように、前記セルラー通信におけるダウンリンク信号に対応する前記サブフレームが変位されたことを前記UEに通知するために使用される、請求項1から3のいずれか一項に記載の基地局。
【請求項５】
前記受信モジュールは、前記UEによって送信されたアップリンク信号サブフレーム変位指示を受信するようにさらに構成され、前記アップリンク信号サブフレーム変位指示は、D2D通信におけるアップリンク信号とセルラー通信におけるアップリンク信号とがリソースの時間領域ロケーションにおいて重複する場合、前記D2D通信におけるアップリンク信号と前記セルラー通信におけるアップリンク信号とが前記リソースの異なる時間領域ロケーションに設定されるように、前記UEが前記セルラー通信におけるアップリンク信号に対応するサブフレームを変位させたことを指示するために使用され、
前記受信モジュールは、前記リソースの前記異なる時間領域ロケーションにおいて、前記アップリンク信号サブフレーム変位指示に従って前記D2D通信におけるアップリンク信号および／または前記セルラー通信におけるアップリンク信号を受信するようにさらに構成される、請求項1から3のいずれか一項に記載の基地局。
【請求項６】
前記リソースは半永続的スケジューリングリソースである、請求項4または5に記載の基地局。
【請求項７】
ユーザ機器（UE）であって、
基地局に通信モード要求指示を送信するように構成された送信モジュールであって、前記通信モード要求指示は、前記UEが使用する必要がある通信モードを指示するために使用され、前記通信モードは、デバイス間（D2D）通信またはセルラー通信を含む、送信モジュールと、
前記基地局によって送信された、前記UEによって使用される予定の判定された通信モードに関する情報を受信するように構成された受信モジュールであって、前記情報は、前記通信モード要求指示に従って前記基地局によって判定され、前記情報は、前記UEによって使用される予定の、前記基地局によって判定された前記通信モードに対応する、受信モジュールと、
前記情報に対応する前記通信モードを使用することによって通信を実施するように構成された処理モジュールと
を備え、
前記送信モジュールは、前記基地局に発見信号受信指示を送信するようにさらに構成され、前記発見信号受信指示は、前記UEがD2D通信を実施していることを指示し、前記UEが別のUEによって送信された発見信号を受信したことを示すために使用され、
前記受信モジュールは、前記基地局によって送信された、前記UEによって使用される予定の、前記発見信号受信指示に従って前記判定された通信モードに関する前記情報を受信するようにさらに構成され、前記情報は、セルラー通信に対応する、
るユーザ機器。
【請求項８】
前記処理モジュールは、通信ステータス情報を更新するようにさらに構成され、前記通信ステータス情報は、前記UEが使用する必要がある通信モードを指示するために使用される、請求項7に記載のユーザ機器。
【請求項９】
前記送信モジュールは、前記基地局に無線リソース制御（RRC）接続セットアップ完了メッセージを送信するようにさらに構成され、前記RRC接続セットアップ完了メッセージは、前記発見信号受信指示を含む、請求項7または8に記載のユーザ機器。
【請求項１０】
前記受信モジュールは、前記基地局によって送信されたダウンリンク信号サブフレーム変位指示を受信するようにさらに構成され、前記ダウンリンク信号サブフレーム変位指示は、D2D通信におけるダウンリンク信号とセルラー通信におけるダウンリンク信号とがリソースの時間領域ロケーションにおいて重複する場合、前記D2D通信におけるダウンリンク信号と前記セルラー通信におけるダウンリンク信号とが前記リソースの異なる時間領域ロケーションに設定されるように、前記基地局が前記セルラー通信におけるダウンリンク信号に対応するサブフレームを変位させたことを指示するために使用され、
前記受信モジュールは、前記リソースの前記異なる時間領域ロケーションにおいて、前記ダウンリンク信号サブフレーム変位指示に従って前記D2D通信におけるダウンリンク信号および／または前記セルラー通信におけるダウンリンク信号を受信するようにさらに構成される、請求項7から9のいずれか一項に記載のユーザ機器。
【請求項１１】
前記処理モジュールは、D2D通信におけるアップリンク信号とセルラー通信におけるアップリンク信号とがリソースの時間領域ロケーションにおいて重複する場合、前記D2D通信におけるアップリンク信号と前記セルラー通信におけるアップリンク信号とが前記リソースの異なる時間領域ロケーションに設定されるように、前記セルラー通信におけるアップリンク信号に対応するサブフレームを変位させるようにさらに構成され、
前記送信モジュールは、前記基地局にアップリンク信号サブフレーム変位指示を送信するようにさらに構成され、前記アップリンク信号サブフレーム変位指示は、前記セルラー通信におけるアップリンク信号に対応する前記サブフレームが変位されたことを指示するために使用される、請求項7から9のいずれか一項に記載のユーザ機器。
【請求項１２】
前記リソースは半永続的スケジューリングリソースである、請求項10または11に記載のユーザ機器。
【請求項１３】
発見信号とセルラー信号とのための共存方法であって、
ユーザ機器（UE）によって送信された通信モード要求指示を受信するステップであって、前記通信モード要求指示は、前記UEが使用する必要がある通信モードを指示するために使用され、前記通信モードは、デバイス間（D2D）通信またはセルラー通信を含む、ステップと、
前記通信モード要求指示に従って、前記UEによって使用される予定の通信モードを判定するステップと、
前記UEによって使用される予定の判定された前記通信モードに関する情報を前記UEに送信するステップと
を含み、
前記通信モード要求指示に従って、前記UEによって使用される予定の通信モードを判定する前記ステップは、
前記UEによって送信された発見信号受信指示に従って、前記UEによって使用される予定の前記通信モードがセルラー通信であると判定するステップであって、前記発見信号受信指示は、前記UEがD2D通信を実施していることを指示し、前記UEが別のUEによって送信された発見信号を受信したことを示すために使用される、ステップを含む、方法。
【請求項１４】
前記通信モード要求指示に従って、前記UEによって使用される予定の通信モードを判定する前記ステップの前に、
前記UEによって現在実施されているサービスの属性が第1の切替え条件を満たす場合、前記通信モード要求指示によって指示される前記通信モードに前記UEが切り替わることができると判定するステップ、または
前記UEによって現在実施されているサービスの属性とプリセットサービス優先度とが第2の切替え条件を満たす場合、前記通信モード要求指示によって指示される前記通信モードに前記UEが切り替わることができると判定するステップ
をさらに含む、請求項13に記載の方法。
【請求項１５】
ユーザ機器（UE）によって送信された通信モード要求指示を受信する前記ステップは、
前記UEによって送信された無線リソース制御（RRC）接続セットアップ完了メッセージを受信するステップであって、前記RRC接続セットアップ完了メッセージは、前記発見信号受信指示を含む、ステップを含む、請求項13または14に記載の方法。
【請求項１６】
D2D通信におけるダウンリンク信号とセルラー通信におけるダウンリンク信号とがリソースの時間領域ロケーションにおいて重複する場合、前記D2D通信におけるダウンリンク信号と前記セルラー通信におけるダウンリンク信号とが前記リソースの異なる時間領域ロケーションに設定されるように、前記セルラー通信におけるダウンリンク信号に対応するサブフレームを変位させるステップと、
前記UEにダウンリンク信号サブフレーム変位指示を送信するステップであって、前記ダウンリンク信号サブフレーム変位指示は、前記UEが前記リソースの前記異なる時間領域ロケーションにおいて、前記ダウンリンク信号サブフレーム変位指示に従って前記D2D通信におけるダウンリンク信号および／または前記セルラー通信におけるダウンリンク信号を受信するように、前記セルラー通信におけるダウンリンク信号に対応する前記サブフレームが変位されたことを前記UEに通知するために使用される、ステップと
をさらに含む、請求項13から15のいずれか一項に記載の方法。
【請求項１７】
前記UEによって送信されたアップリンク信号サブフレーム変位指示を受信するステップであって、前記アップリンク信号サブフレーム変位指示は、D2D通信におけるアップリンク信号とセルラー通信におけるアップリンク信号とがリソースの時間領域ロケーションにおいて重複する場合、前記D2D通信におけるアップリンク信号と前記セルラー通信におけるアップリンク信号とが前記リソースの異なる時間領域ロケーションに設定されるように、前記UEが前記セルラー通信におけるアップリンク信号に対応するサブフレームを変位させたことを指示するために使用される、ステップと、
前記リソースの異なる時間領域ロケーションにおいて、前記アップリンク信号サブフレーム変位指示に従って前記D2D通信におけるアップリンク信号および／または前記セルラー通信におけるアップリンク信号を受信するステップと
をさらに含む、請求項13から15のいずれか一項に記載の方法。
【請求項１８】
前記リソースは半永続的スケジューリングリソースである、請求項16または17に記載の方法。
【請求項１９】
発見信号とセルラー信号とのための共存方法であって、
ユーザ機器（UE）によって、基地局に通信モード要求指示を送信するステップであって、前記通信モード要求指示は、前記UEが使用する必要がある通信モードを指示するために使用され、前記通信モードは、デバイス間（D2D）通信またはセルラー通信を含む、ステップと、
前記基地局によって送信された、前記UEによって使用される予定の判定された通信モードに関する情報を前記UEによって受信するステップであって、前記情報は、前記通信モード要求指示に従って前記基地局によって判定され、前記情報は、前記UEによって使用される予定の、前記基地局によって判定された前記通信モードに対応する、ステップと、
前記UEによって、前記情報に対応する前記通信モードを使用することによって通信を実施するステップと
を含み、
前記UEによって、基地局に通信モード要求指示を送信する前記ステップは、
前記UEによって、前記基地局に発見信号受信指示を送信するステップであって、前記発見信号受信指示は、前記UEがD2D通信を実施していることを指示し、前記UEが別のUEによって送信された発見信号を受信したことを示すために使用される、ステップを含み、
前記基地局によって送信された、前記UEによって使用される予定の判定された通信モードに関する情報を前記UEによって受信する前記ステップは、
前記基地局によって送信された、前記UEによって使用される予定の、前記発見信号受信指示に従って前記判定された通信モードに関する前記情報を前記UEによって受信するステップであって、前記情報は、セルラー通信に対応する、ステップを含む、方法。
【請求項２０】
ユーザ機器（UE）によって、基地局に通信モード要求指示を送信する前記ステップの前に、
前記UEによって、通信ステータス情報を更新するステップであって、前記通信ステータス情報は、前記UEが使用する必要がある通信モードを指示するために使用される、ステップをさらに含む、請求項19に記載の方法。
【請求項２１】
ユーザ機器（UE）によって、基地局に通信モード要求指示を送信する前記ステップは、
前記UEによって、前記基地局に無線リソース制御（RRC）接続セットアップ完了メッセージを送信するステップであって、前記RRC接続セットアップ完了メッセージは、前記発見信号受信指示を含む、ステップを含み、
請求項19または20に記載の方法。
【請求項２２】
前記基地局によって送信されたダウンリンク信号サブフレーム変位指示を受信するステップであって、前記ダウンリンク信号サブフレーム変位指示は、D2D通信におけるダウンリンク信号とセルラー通信におけるダウンリンク信号とがリソースの時間領域ロケーションにおいて重複する場合、前記D2D通信におけるダウンリンク信号と前記セルラー通信におけるダウンリンク信号とが前記リソースの異なる時間領域ロケーションに設定されるように、前記基地局が前記セルラー通信におけるダウンリンク信号に対応するサブフレームを変位させたことを指示するために使用される、ステップと、
前記リソースの異なる時間領域ロケーションにおいて、前記ダウンリンク信号サブフレーム変位指示に従って前記D2D通信におけるダウンリンク信号および／または前記セルラー通信におけるダウンリンク信号を受信するステップと
をさらに含む、請求項19から21のいずれか一項に記載の方法。
【請求項２３】
D2D通信におけるアップリンク信号とセルラー通信におけるアップリンク信号とがリソースの時間領域ロケーションにおいて重複する場合、前記D2D通信におけるアップリンク信号と前記セルラー通信におけるアップリンク信号とが前記リソースの異なる時間領域ロケーションに設定されるように、前記セルラー通信におけるアップリンク信号に対応するサブフレームを変位させるステップと、
前記基地局にアップリンク信号サブフレーム変位指示を送信するステップであって、前記アップリンク信号サブフレーム変位指示は、前記セルラー通信におけるアップリンク信号に対応する前記サブフレームが変位されたことを指示するために使用される、ステップと
をさらに含む、請求項19から21のいずれか一項に記載の方法。
【請求項２４】
前記リソースは半永続的スケジューリングリソースである、請求項22または23に記載の方法。
【請求項２５】
請求項1から6のいずれか一項に記載の基地局と、
請求項7から12のいずれか一項に記載のユーザ機器と
を備える通信システム。
【請求項２６】
プログラムを記録したコンピュータ読み取り可能な記録媒体であって、
前記プログラムは、請求項13から18のいずれか一項に記載の方法をコンピュータに実行させる、コンピュータ読み取り可能な記録媒体。
【請求項２７】
プログラムを記録したコンピュータ読み取り可能な記録媒体であって、
前記プログラムは、請求項19から24のいずれか一項に記載の方法をコンピュータに実行させる、コンピュータ読み取り可能な記録媒体。
【発明の詳細な説明】
【技術分野】
【０００１】
本発明は、ワイヤレス通信技術の分野に関し、詳細には、発見信号とセルラー信号とのための共存装置、方法、およびシステムに関する。
【背景技術】
【０００２】
デバイス間（Device to Device、略してD2D）通信技術の発展とともに、より多くの端末デバイスがD2D機能を有し、また、従来のセルラー通信を使用するユーザ機器（User Equipment、略してUE）が、第3世代パートナーシッププロジェクト（3rd Generation Partnership Project、3GPP）システムまたはロングタームエボリューション（Long Term Evolution、略してLTE）システムにおけるリソースを使用することによってデバイス間通信を直接実施する傾向がある。このタイプのUEはセルラーデバイス間端末と呼ばれる。UEのリソースは、UEが属するセルラーセルの基地局を使用することによって管理され、時間領域において別々である発見（Discovery）リソースとセルラーリソースとを含む。すなわち、セルラーデバイス間端末は時分割複信モードで通信を実施する。セルラーデバイス間端末は、発見リソースを使用することによって別のセルラーデバイス間端末から発見信号を受信するかまたは別のセルラーデバイス間端末に発見信号を送信する。セルラーデバイス間端末は、セルラーリソースを使用することによって基地局からセルラー信号を受信するかまたは基地局にセルラー信号を送信する。
【発明の概要】
【課題を解決するための手段】
【０００３】
しかしながら、セルラーデバイス間端末がセル間でハンドオーバされるとき、またはリソース不足があるとき、基地局によって端末に割り振られる発見リソースとセルラーリソースは時間領域において衝突し得る。そのような衝突が起こったとき、基地局は、端末に割り振られた発見リソースとセルラーリソースとの間にそのような衝突があることを識別することができず、従来技術のセルラーデバイス間端末は、送信リソースに対応する発見信号とセルラーリソースに対応するセルラー信号とを同時に送信することができない。したがって、端末のD2D通信およびセルラー通信は適切に実施できず、D2D通信およびセルラー通信の安定性は低減する。
【０００４】
本発明は、D2D通信とセルラー通信との安定性を改善するように、発見信号とセルラー信号とのための共存装置、方法、およびシステムを提供する。
【０００５】
本発明の第1の態様は、基地局を提供し、この基地局は、
ユーザ機器UEによって送信された通信モード要求指示を受信するように構成された受信モジュールであって、通信モード要求指示は、UEが使用する必要がある通信モードを指示するために使用され、通信モードは、デバイス間D2D通信またはセルラー通信を含む、受信モジュールと、
通信モード要求指示に従って、UEによって使用される通信モードを判定するように構成された処理モジュールと、
UEによって使用される判定された通信モードに関する情報をUEに送信するように構成された送信モジュールとを含む。
【０００６】
第1の態様に関して、第1の可能な実装様式では、
処理モジュールは、UEによって現在実施されているサービスの属性が第1の切替え条件を満たす場合、通信モード要求指示によって指示される通信モードにUEが切り替わることができると判定するようにさらに構成されるか、または
処理モジュールは、UEによって現在実施されているサービスの属性とプリセットサービス優先度とが第2の切替え条件を満たす場合、通信モード要求指示によって指示される通信モードにUEが切り替わることができると判定するようにさらに構成される。
【０００７】
第1の態様または第1の態様の第1の可能な実装様式に関して、第2の可能な実装様式では、受信モジュールは、UEによって送信されたRRC接続セットアップ完了メッセージを受信するように特に構成され、RRC接続セットアップ完了メッセージは、発見信号受信指示を含み、発見信号受信指示は、UEがD2D通信を実施していることを指示するために使用され、
処理モジュールは、発見信号受信指示に従って、UEによって使用される通信モードがセルラー通信であると判定するように特に構成される。
【０００８】
第1の態様または第1の態様の上記の可能な実装様式のいずれか1つに関して、第3の可能な実装様式では、処理モジュールは、D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させるようにさらに構成され、
送信モジュールは、UEにダウンリンク信号サブフレーム変位指示を送信するようにさらに構成され、ダウンリンク信号サブフレーム変位指示は、UEがリソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される。
【０００９】
第1の態様、または第1の態様の第1の可能な実装様式、または第1の態様の第2の可能な実装様式に関して、第4の可能な実装様式では、受信モジュールは、UEによって送信されたアップリンク信号サブフレーム変位指示を受信するようにさらに構成され、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEがセルラー通信におけるアップリンク信号に対応するサブフレームを変位させたことを指示するために使用され、
受信モジュールは、リソースの異なる時間領域ロケーションにおいて、アップリンク信号サブフレーム変位指示に従ってD2D通信におけるアップリンク信号および／またはセルラー通信におけるアップリンク信号を受信するようにさらに構成される。
【００１０】
第1の態様の第3の可能な実装様式または第1の態様の第2の可能な実装様式に関して、第5の可能な実装様式では、リソースは半永続的スケジューリングリソースである。
【００１１】
本発明の第2の態様は、ユーザ機器を提供し、このユーザ機器は、
基地局に通信モード要求指示を送信するように構成された送信モジュールであって、通信モード要求指示は、UEが使用する必要がある通信モードを指示するために使用され、通信モードは、デバイス間D2D通信またはセルラー通信を含む、送信モジュールと、
基地局によって送信され、UEによって使用される判定された通信モードに関する情報を受信するように構成された受信モジュールであって、情報は、通信モード要求指示に従って基地局によって判定され、情報は、UEによって使用され基地局によって判定された通信モードに対応する、受信モジュールと、
情報に対応する通信モードを使用することによって通信を実施するように構成された処理モジュールとを含む。
【００１２】
第2の態様に関して、第1の可能な実装様式では、処理モジュールは、通信ステータス情報を更新するようにさらに構成され、通信ステータス情報は、UEが使用する必要がある通信モードを指示するために使用される。
【００１３】
第2の態様または第2の態様の第1の可能な実装様式に関して、第2の可能な実装様式では、送信モジュールは、基地局にRRC接続セットアップ完了メッセージを送信するようにさらに構成され、RRC接続セットアップ完了メッセージは、発見信号受信指示を含み、発見信号受信指示は、UEがD2D通信を実施していることを指示するために使用され、
受信モジュールは、基地局によって送信され、UEによって使用される判定された通信モードに関する情報を受信するように特に構成され、情報はセルラー通信に対応する。
【００１４】
第2の態様または第2の態様の上記の可能な実装様式のいずれか1つに関して、第3の可能な実装様式では、受信モジュールは、基地局によって送信されたダウンリンク信号サブフレーム変位指示を受信するようにさらに構成され、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局がセルラー通信におけるダウンリンク信号に対応するサブフレームを変位させたことを指示するために使用され、
受信モジュールは、リソースの異なる時間領域ロケーションにおいて、ダウンリンク信号サブフレーム変位指示に従ってD2D通信におけるダウンリンク信号および／またはセルラー通信におけるダウンリンク信号を受信するようにさらに構成される。
【００１５】
第2の態様の第1の可能な実装様式または第2の態様の第2の可能な実装様式に関して、第4の可能な実装様式では、処理モジュールは、D2D通信におけるアップリンク信号とセルラー通信におけるアップリンク信号とがリソースの時間領域ロケーションにおいて重複する場合、D2D通信におけるアップリンク信号とセルラー通信におけるアップリンク信号とがリソースの異なる時間領域ロケーションに設定されるように、セルラー通信におけるアップリンク信号に対応するサブフレームを変位させるようにさらに構成され、
送信モジュールは、基地局にアップリンク信号サブフレーム変位指示を送信するようにさらに構成され、アップリンク信号サブフレーム変位指示は、セルラー通信におけるアップリンク信号に対応するサブフレームが変位されたことを指示するために使用される。
【００１６】
第2の態様の第1の可能な実装様式または第2の態様の第2の可能な実装様式に関して、第4の可能な実装様式では、リソースは半永続的スケジューリングリソースである。
【００１７】
本発明の第3の態様は、基地局を提供し、この基地局は、
ページングフレームに対応する時間領域リソースと発見フレームに対応する時間領域リソースとが重複しないと判定することと、ページングフレームに対応する時間領域リソースと発見フレームに対応する時間領域リソースとが重複する場合、ページングフレームに対応する時間領域リソースと発見フレームに対応する時間領域リソースとが重複しないように設定することとを行うように構成された処理モジュールと、
発見フレームに対応する受信情報をユーザ機器UEに配信するか、またはページングフレームに対応する受信情報をUEに配信するように構成された送信モジュールであって、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される、送信モジュールとを含む。
【００１８】
第3の態様に関して、第1の可能な実装様式では、処理モジュールは、ページングフレームに対応する時間領域リソースと発見フレームに対応する時間領域リソースとが重複する場合、発見フレームに対応する時間領域リソースが発見通信のみを実施するために使用されると判定するように特に構成される。
【００１９】
本発明の第4の態様は、ユーザ機器を提供し、このユーザ機器は、
発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するようにUEに命令するために使用される、ように構成された受信モジュールと、
発見フレームに対応する時間領域リソース上で発見通信を実施するか、またはページングフレームに対応する時間領域リソース上でページング通信を実施するように構成された通信モジュールとを含み、ページングフレームに対応する時間領域リソースと発見フレームに対応する時間領域リソースとは重複しない。
【００２０】
第4の態様に関して、第1の可能な実装様式では、通信モジュールは、
発見フレームに対応する時間領域リソース上で、別のUEによって送信された発見信号を受信するか、もしくは発見フレームに対応する時間領域リソース上で別のUEに発見信号を送信するように特に構成されるか、または
ページングフレームに対応する時間領域リソース上で、基地局によって送信されたページング信号を受信するか、もしくはページングフレームに対応する時間領域リソース上で基地局にページング信号を送信するように特に構成される。
【００２１】
本発明の第5の態様は、基地局を提供し、この基地局は、
ユーザ機器UEによって送信された通信モード要求指示を受信するように構成された受信機であって、通信モード要求指示は、UEが使用する必要がある通信モードを指示するために使用され、通信モードは、デバイス間D2D通信またはセルラー通信を含む、受信機と、
通信モード要求指示に従って、UEによって使用される通信モードを判定するように構成されたプロセッサと、
UEによって使用される判定された通信モードに関する情報をUEに送信するように構成された送信機とを含む。
【００２２】
第5の態様に関して、第1の可能な実装様式では、
プロセッサは、UEによって現在実施されているサービスの属性が第1の切替え条件を満たす場合、通信モード要求指示によって指示される通信モードにUEが切り替わることができると判定するようにさらに構成されるか、または
プロセッサは、UEによって現在実施されているサービスの属性とプリセットサービス優先度とが第2の切替え条件を満たす場合、通信モード要求指示によって指示される通信モードにUEが切り替わることができると判定するようにさらに構成される。
【００２３】
第5の態様または第5の態様の第1の可能な実装様式に関して、第2の可能な実装様式では、受信機は、UEによって送信されたRRC接続セットアップ完了メッセージを受信するように特に構成され、RRC接続セットアップ完了メッセージは、発見信号受信指示を含み、発見信号受信指示は、UEがD2D通信を実施していることを指示するために使用され、
プロセッサは、発見信号受信指示に従って、UEによって使用される通信モードがセルラー通信であると判定するように特に構成される。
【００２４】
第5の態様または第5の態様の上記の可能な実装様式のいずれか1つに関して、第3の可能な実装様式では、プロセッサは、D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させるようにさらに構成され、
送信機は、UEにダウンリンク信号サブフレーム変位指示を送信するようにさらに構成され、ダウンリンク信号サブフレーム変位指示は、UEがリソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される。
【００２５】
第5の態様、または第5の態様の第1の可能な実装様式、または第5の態様の第2の可能な実装様式に関して、第4の可能な実装様式では、受信機は、UEによって送信されたアップリンク信号サブフレーム変位指示を受信するようにさらに構成され、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEがセルラー通信におけるアップリンク信号に対応するサブフレームを変位させたことを指示するために使用され、
受信機は、リソースの異なる時間領域ロケーションにおいて、アップリンク信号サブフレーム変位指示に従ってD2D通信におけるアップリンク信号および／またはセルラー通信におけるアップリンク信号を受信するようにさらに構成される。
【００２６】
第5の態様の第3の可能な実装様式または第4の態様の第2の可能な実装様式に関して、第5の可能な実装様式では、リソースは半永続的スケジューリングリソースである。
【００２７】
本発明の第6の態様は、ユーザ機器を提供し、このユーザ機器は、
基地局に通信モード要求指示を送信するように構成された送信機であって、通信モード要求指示は、UEが使用する必要がある通信モードを指示するために使用され、通信モードは、デバイス間D2D通信またはセルラー通信を含む、送信機と、
基地局によって送信され、UEによって使用される判定された通信モードに関する情報を受信するように構成された受信機であって、情報は、通信モード要求指示に従って基地局によって判定され、情報は、UEによって使用され基地局によって判定された通信モードに対応する、受信機と、
情報に対応する通信モードを使用することによって通信を実施するように構成されたプロセッサとを含む。
【００２８】
第6の態様に関して、第1の可能な実装様式では、プロセッサは、通信ステータス情報を更新するようにさらに構成され、通信ステータス情報は、UEが使用する必要がある通信モードを指示するために使用される。
【００２９】
第6の態様または第6の態様の第1の可能な実装様式に関して、第2の可能な実装様式では、送信機は、基地局にRRC接続セットアップ完了メッセージを送信するようにさらに構成され、RRC接続セットアップ完了メッセージは、発見信号受信指示を含み、発見信号受信指示は、UEがD2D通信を実施していることを指示するために使用され、
受信機は、基地局によって送信され、UEによって使用される判定された通信モードに関する情報を受信するように特に構成され、情報はセルラー通信に対応する。
【００３０】
第6の態様または第6の態様の上記の可能な実装様式のいずれか1つに関して、第3の可能な実装様式では、受信機は、基地局によって送信されたダウンリンク信号サブフレーム変位指示を受信するようにさらに構成され、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局がセルラー通信におけるダウンリンク信号に対応するサブフレームを変位させたことを指示するために使用され、
受信機は、リソースの異なる時間領域ロケーションにおいて、ダウンリンク信号サブフレーム変位指示に従ってD2D通信におけるダウンリンク信号および／またはセルラー通信におけるダウンリンク信号を受信するようにさらに構成される。
【００３１】
第6の態様の第1の可能な実装様式または第6の態様の第2の可能な実装様式に関して、第4の可能な実装様式では、プロセッサは、D2D通信におけるアップリンク信号とセルラー通信におけるアップリンク信号とがリソースの時間領域ロケーションにおいて重複する場合、D2D通信におけるアップリンク信号とセルラー通信におけるアップリンク信号とがリソースの異なる時間領域ロケーションに設定されるように、セルラー通信におけるアップリンク信号に対応するサブフレームを変位させるようにさらに構成され、
送信機は、基地局にアップリンク信号サブフレーム変位指示を送信するようにさらに構成され、アップリンク信号サブフレーム変位指示は、セルラー通信におけるアップリンク信号に対応するサブフレームが変位されたことを指示するために使用される。
【００３２】
第6の態様の第1の可能な実装様式または第6の態様の第2の可能な実装様式に関して、第4の可能な実装様式では、リソースは半永続的スケジューリングリソースである。
【００３３】
本発明の第7の態様は、基地局を提供し、この基地局は、
ページングフレームに対応する時間領域リソースと発見フレームに対応する時間領域リソースとが重複しないと判定することと、ページングフレームに対応する時間領域リソースと発見フレームに対応する時間領域リソースとが重複する場合、ページングフレームに対応する時間領域リソースと発見フレームに対応する時間領域リソースとが重複しないように設定することとを行うように構成されたプロセッサと、
発見フレームに対応する受信情報をユーザ機器UEに配信するか、またはページングフレームに対応する受信情報をUEに配信するように構成された送信機であって、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される、送信機とを含む。
【００３４】
第7の態様に関して、第1の可能な実装様式では、プロセッサは、ページングフレームに対応する時間領域リソースと発見フレームに対応する時間領域リソースとが重複する場合、発見フレームに対応する時間領域リソースが発見通信のみを実施するために使用されると判定するように特に構成される。
【００３５】
本発明の第8の態様は、ユーザ機器を提供し、このユーザ機器は、
プロセッサと、メモリと、システムバスとを含み、プロセッサおよびメモリは、システムバスを使用することによって接続され、相互通信を実装し、
メモリは、コンピュータ実行命令を記憶するように構成され、
プロセッサは、発見信号とセルラー信号とのための共存装置が、発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するようにUEに命令するために使用される、ように、コンピュータ実行命令を実行するように構成され、
プロセッサは、発見フレームに対応する時間領域リソース上で発見通信を実施するか、またはページングフレームに対応する時間領域リソース上でページング通信を実施するようにさらに構成され、
ページングフレームに対応する時間領域リソースと発見フレームに対応する時間領域リソースとは重複しない。
【００３６】
第8の態様に関して、第1の可能な実装様式では、プロセッサは、
発見フレームに対応する時間領域リソース上で、別のUEによって送信された発見信号を受信するか、もしくは発見フレームに対応する時間領域リソース上で別のUEに発見信号を送信するように特に構成されるか、または
ページングフレームに対応する時間領域リソース上で、基地局によって送信されたページング信号を受信するか、もしくはページングフレームに対応する時間領域リソース上で基地局にページング信号を送信するように特に構成される。
【００３７】
本発明の第9の態様は、発見信号とセルラー信号とのための共存システムを提供し、本システムは、第1の態様または第1の態様の実現可能な実装様式のいずれか1つによる少なくとも1つの基地局と、第2の態様または第2の態様の実現可能な実装様式のいずれか1つによる少なくとも1つのユーザ機器とを含む。
【００３８】
本発明の第10の態様は、発見信号とセルラー信号とのための共存システムを提供し、本システムは、第3の態様または第3の態様の実現可能な実装様式のいずれか1つによる少なくとも1つの基地局と、第4の態様または第4の態様の実現可能な実装様式のいずれか1つによる少なくとも1つのユーザ機器とを含む。
【００３９】
本発明の第11の態様は、発見信号とセルラー信号とのための共存システムを提供し、本システムは、第5の態様または第5の態様の実現可能な実装様式のいずれか1つによる少なくとも1つの基地局と、第6の態様または第6の態様の実現可能な実装様式のいずれか1つによる少なくとも1つのユーザ機器とを含む。
【００４０】
本発明の第12の態様は、発見信号とセルラー信号とのための共存システムを提供し、本システムは、第7の態様または第7の態様の実現可能な実装様式のいずれか1つによる少なくとも1つの基地局と、第8の態様または第8の態様の実現可能な実装様式のいずれか1つによる少なくとも1つのユーザ機器とを含む。
【００４１】
本発明の第13の態様は、発見信号とセルラー信号とのための共存方法を提供し、本方法は、
ユーザ機器UEによって送信された通信モード要求指示を受信するステップであって、通信モード要求指示は、UEが使用する必要がある通信モードを指示するために使用され、通信モードは、デバイス間D2D通信またはセルラー通信を含む、ステップと、
通信モード要求指示に従って、UEによって使用される通信モードを判定するステップと、
UEによって使用される判定された通信モードに関する情報をUEに送信するステップとを含む。
【００４２】
第13の態様に関して、第1の可能な実装様式では、通信モード要求指示に従って、UEによって使用される通信モードを判定するステップの前に、本方法は、
UEによって現在実施されているサービスの属性が第1の切替え条件を満たす場合、通信モード要求指示によって指示される通信モードにUEが切り替わることができると判定するステップ、または
UEによって現在実施されているサービスの属性とプリセットサービス優先度とが第2の切替え条件を満たす場合、通信モード要求指示によって指示される通信モードにUEが切り替わることができると判定するステップをさらに含む。
【００４３】
第13の態様または第13の態様の第1の可能な実装様式に関して、第2の可能な実装様式では、ユーザ機器UEによって送信された通信モード要求指示を受信するステップは、
UEによって送信されたRRC接続セットアップ完了メッセージを受信するステップであって、RRC接続セットアップ完了メッセージは、発見信号受信指示を含み、発見信号受信指示は、UEがD2D通信を実施していることを指示するために使用される、ステップを含み、
通信モード要求指示に従って、UEによって使用される通信モードを判定するステップは、
発見信号受信指示に従って、UEによって使用される通信モードがセルラー通信であると判定するステップを含む。
【００４４】
第13の態様または第13の態様の上記の可能な実装様式のいずれか1つに関して、第3の可能な実装様式では、本方法は、
D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させるステップと、
UEにダウンリンク信号サブフレーム変位指示を送信するステップであって、ダウンリンク信号サブフレーム変位指示は、UEがリソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される、ステップとをさらに含む。
【００４５】
第13の態様、または第13の態様の第1の可能な実装様式、または第13の態様の第2の可能な実装様式に関して、第4の可能な実装様式では、本方法は、
UEによって送信されたアップリンク信号サブフレーム変位指示を受信するステップであって、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEがセルラー通信におけるアップリンク信号に対応するサブフレームを変位させたことを指示するために使用される、ステップと、
リソースの異なる時間領域ロケーションにおいて、アップリンク信号サブフレーム変位指示に従ってD2D通信におけるアップリンク信号および／またはセルラー通信におけるアップリンク信号を受信するステップとをさらに含む。
【００４６】
第13の態様の第3の可能な実装様式または第13の態様の第2の可能な実装様式に関して、第5の可能な実装様式では、リソースは半永続的スケジューリングリソースである。
【００４７】
本発明の第14の態様は、発見信号とセルラー信号とのための共存方法を提供し、本方法は、
ユーザ機器UEによって、基地局に通信モード要求指示を送信するステップであって、通信モード要求指示は、UEが使用する必要がある通信モードを指示するために使用され、通信モードは、デバイス間D2D通信またはセルラー通信を含む、ステップと、
基地局によって送信され、UEによって使用される判定された通信モードに関する情報をUEによって受信するステップであって、情報は、通信モード要求指示に従って基地局によって判定され、情報は、UEによって使用され基地局によって判定された通信モードに対応する、ステップと、
UEによって、情報に対応する通信モードを使用することによって通信を実施するステップとを含む。
【００４８】
第14の態様に関して、第1の可能な実装様式では、ユーザ機器UEによって、基地局に通信モード要求指示を送信するステップの前に、本方法は、
UEによって、通信ステータス情報を更新するステップであって、通信ステータス情報は、UEが使用する必要がある通信モードを指示するために使用される、ステップをさらに含む。
【００４９】
第14の態様または第14の態様の第1の可能な実装様式に関して、第2の可能な実装様式では、ユーザ機器UEによって、基地局に通信モード要求指示を送信するステップは、
UEによって、基地局にRRC接続セットアップ完了メッセージを送信するステップであって、RRC接続セットアップ完了メッセージは、発見信号受信指示を含み、発見信号受信指示は、UEがD2D通信を実施していることを指示するために使用される、ステップを含み、
基地局によって送信され、UEによって使用される判定された通信モードに関する情報をUEによって受信するステップは、
基地局によって送信され、UEによって使用される判定された通信モードに関する情報をUEによって受信するステップであって、情報がセルラー通信に対応する、ステップを含む。
【００５０】
第14の態様または第14の態様の上記の可能な実装様式のいずれか1つに関して、第3の可能な実装様式では、本方法は、
基地局によって送信されたダウンリンク信号サブフレーム変位指示を受信するステップであって、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局がセルラー通信におけるダウンリンク信号に対応するサブフレームを変位させたことを指示するために使用される、ステップと、
リソースの異なる時間領域ロケーションにおいて、ダウンリンク信号サブフレーム変位指示に従ってD2D通信におけるダウンリンク信号および／またはセルラー通信におけるダウンリンク信号を受信するステップとをさらに含む。
【００５１】
第14の態様の第1の可能な実装様式、または第14の態様の第2の可能な実装様式に関して、第4の可能な実装様式では、本方法は、
D2D通信におけるアップリンク信号とセルラー通信におけるアップリンク信号とがリソースの時間領域ロケーションにおいて重複する場合、D2D通信におけるアップリンク信号とセルラー通信におけるアップリンク信号とがリソースの異なる時間領域ロケーションに設定されるように、セルラー通信におけるアップリンク信号に対応するサブフレームを変位させるステップと、
基地局にアップリンク信号サブフレーム変位指示を送信するステップであって、アップリンク信号サブフレーム変位指示は、セルラー通信におけるアップリンク信号に対応するサブフレームが変位されたことを指示するために使用される、ステップとをさらに含む。
【００５２】
第14の態様の第1の可能な実装様式または第14の態様の第2の可能な実装様式に関して、第4の可能な実装様式では、リソースは半永続的スケジューリングリソースである。
【００５３】
本発明の第15の態様は、発見信号とセルラー信号とのための共存方法を提供し、本方法は、
ページングフレームに対応する時間領域リソースと発見フレームに対応する時間領域リソースとが重複するかどうかを判定するステップと、
ページングフレームに対応する時間領域リソースと発見フレームに対応する時間領域リソースとが重複する場合、ページングフレームに対応する時間領域リソースと発見フレームに対応する時間領域リソースとが重複しないように設定するステップと、
発見フレームに対応する受信情報をユーザ機器UEに配信するか、またはページングフレームに対応する受信情報をUEに配信するステップであって、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される、ステップとを含む。
【００５４】
第15の態様に関して、第1の可能な実装様式では、ページングフレームに対応する時間領域リソースと発見フレームに対応する時間領域リソースとが重複する場合、ページングフレームに対応する時間領域リソースと発見フレームに対応する時間領域リソースとが重複しないように設定するステップは、
ページングフレームに対応する時間領域リソースと発見フレームに対応する時間領域リソースとが重複する場合、発見フレームに対応する時間領域リソースが発見通信のみを実施するために使用されると判定するステップを含む。
【００５５】
本発明の第16の態様は、発見信号とセルラー信号とのための共存方法を提供し、本方法は、
ユーザ機器UEによって、発見フレームに対応し基地局によって配信された受信情報を受信するステップであって、発見フレームに対応する受信情報は、発見フレームに対応する時間領域リソース上で発見通信のみを実施するようにUEに命令するために使用される、ステップと、UEによって、発見フレームに対応する時間領域リソース上で発見通信を実施するステップと、または
UEによって、ページングフレームに対応し基地局によって配信された受信情報を受信するステップであって、ページングフレームに対応する受信情報は、ページングフレームに対応する時間領域リソース上でページング通信のみを実施するようにUEに命令するために使用される、ステップと、UEによって、ページングフレームに対応する時間領域リソース上でページング通信を実施するステップとを含み、ページングフレームに対応する時間領域リソースと発見フレームに対応する時間領域リソースとは重複しない。
【００５６】
第16の態様に関して、第1の可能な実装様式では、
UEによって、発見フレームに対応する時間領域リソース上で発見通信を実施するステップは、
発見フレームに対応する時間領域リソース上で、別のUEによって送信された発見信号をUEによって受信するステップ、もしくは発見フレームに対応する時間領域リソース上で別のUEに発見信号をUEによって送信するステップを含むか、または
UEによって、ページングフレームに対応する時間領域リソース上でページング通信を実施するステップは、
ページングフレームに対応する時間領域リソース上で、基地局によって送信されたページング信号をUEによって受信するステップ、もしくはUEによって、ページングフレームに対応する時間領域リソース上で基地局にページング信号を送信するステップを含む。
【００５７】
本発明の実施形態において提供される発見信号とセルラー信号とのための共存装置、方法、およびシステムによれば、受信モジュールは、ユーザ機器UEによって送信された通信モード要求指示を受信し、通信モード要求指示は、UEが使用する必要がある通信モードを指示するために使用され、通信モードはデバイス間D2D通信またはセルラー通信を含み、処理モジュールは、通信モード要求指示に従って、UEによって使用される通信モードを判定し、送信モジュールは、UEによって使用される判定された通信モードに関する情報をUEに送信する。このようにして、UEは、UEによって報告された通信モード要求指示に従って、発見信号通信またはセルラー信号通信のいずれかを実施するように命令され、したがって、UEの2つの通信様式間の衝突が回避され、UEのD2D通信とセルラー通信との安定性が改善される。
【００５８】
本発明の実施形態または従来技術における技術的解決策についてより明らかに説明するために、以下で、本実施形態または従来技術について説明するために必要とされる添付の図面を手短に説明する。当然ながら、以下の説明における添付の図面は本発明のいくつかの実施形態を示すものであり、当業者なら、創造的な取り組みなしにこれらの添付の図面から他の図面をさらに導出するであろう。
【図面の簡単な説明】
【００５９】
【図１】本発明の一実施形態による基地局の概略構造図である。
【図２】本発明の一実施形態による別のユーザ機器の概略構造図である。
【図３】本発明の一実施形態による別の基地局の概略構造図である。
【図４】本発明の一実施形態による別のユーザ機器の概略構造図である。
【図５】本発明の一実施形態による別の基地局の概略構造図である。
【図６】本発明の一実施形態による別のユーザ機器の概略構造図である。
【図７】本発明の一実施形態による別の基地局の概略構造図である。
【図８】本発明の一実施形態による別のユーザ機器の概略構造図である。
【図９】本発明の一実施形態による発見信号とセルラー信号とのための共存方法の概略フローチャートである。
【図１０】本発明の一実施形態による発見信号とセルラー信号とのための別の共存方法の概略フローチャートである。
【図１１】本発明の一実施形態による発見信号とセルラー信号とのための別の共存方法の概略フローチャートである。
【図１２】本発明の一実施形態による別の通信モード判定方法の概略フローチャートである。
【図１３】本発明の一実施形態による別の通信モード判定方法の概略フローチャートである。
【図１４】本発明の一実施形態によるサブフレーム変位の概略図である。
【図１５】本発明の一実施形態によるサブフレーム変位の概略図である。
【図１６】本発明の一実施形態によるサブフレーム変位の概略図である。
【図１７】本発明の一実施形態による発見信号とセルラー信号とのための別の共存方法の概略フローチャートである。
【図１８】本発明の一実施形態による発見信号とセルラー信号とのための別の共存方法の概略フローチャートである。
【図１９】本発明の一実施形態による発見信号とセルラー信号とのための別の共存方法の概略フローチャートである。
【図２０】本発明の一実施形態による発見信号とセルラー信号とのための別の共存方法の概略フローチャートである。
【発明を実施するための形態】
【００６０】
本発明の実施形態の目的、技術的解決策、および利点をより明らかにするために、以下で、本発明の実施形態における添付の図面を参照しながら、本発明の実施形態における技術的解決策について明確かつ十分に説明する。当然ながら、説明する実施形態は、本発明の実施形態のすべてではなく、その一部である。創造的な取り組みなしに本発明の実施形態に基づいて当業者によって取得されるすべての他の実施形態は、本発明の保護範囲内に入るものである。
【００６１】
発展型ノードB（evolved NodeB、略してeNB）が端末のD2D通信をサポートするとき、eNBがUEとのリンクをセットアップした後に、D2D通信をサポートするUEの近接サービス（Prose）モジュールは、D2D通信において発見（discovery）信号の受信を要求するための命令を無線アクセスネットワーク（Radio Access Network、略してRAN）モジュールに送信する。この場合、上記のUEは1つの瞬間においてセルラーダウンリンク信号またはD2D発見信号のいずれかのみを受信することができるので、UEがセルラーダウンリンク信号またはD2D発見信号のいずれかを受信することを保証するために、いくつかの技術的方策が必要とされる。
【００６２】
特定の実施形態を使用することによって、以下では、送信信号とセルラー信号との間の衝突を回避し、衝突によって引き起こされる通信安定性の低減を回避するために、発見信号とセルラー信号とのための共存装置およびシステムを提供する。図1は、本発明の一実施形態による基地局の概略構造図である。基地局はeNB、小型セル、リレーデバイスなどであり得る。別段に明記されていない限り、eNBは、説明のための以下の実施形態において一例として使用される。図1を参照すると、本装置は、受信モジュール100と、処理モジュール101と、送信モジュール102とを含む。
【００６３】
受信モジュール100は、ユーザ機器UEによって送信された通信モード要求指示を受信するように構成される。
【００６４】
通信モード要求指示は、UEが使用する必要がある通信モードを指示するために使用され、通信モードはデバイス間D2D通信またはセルラー通信を含む。
【００６５】
処理モジュール101は、通信モード要求指示に従って、UEによって使用される通信モードを判定するように構成される。
【００６６】
送信モジュール102は、UEによって使用される判定された通信モードに関する情報をUEに送信するように構成される。
【００６７】
本発明のこの実施形態において提供される基地局によれば、受信モジュールは、ユーザ機器UEによって送信された通信モード要求指示を受信し、通信モード要求指示は、UEが使用する必要がある通信モードを指示するために使用され、通信モードはデバイス間D2D通信またはセルラー通信を含み、処理モジュールは、通信モード要求指示に従って、UEによって使用される通信モードを判定し、送信モジュールは、UEによって使用される判定された通信モードに関する情報をUEに送信する。このようにして、UEは、UEによって報告された通信モード要求指示に従って、発見信号通信またはセルラー信号通信のいずれかを実施するように命令され、したがって、UEの2つの通信様式間の衝突が回避され、UEのD2D通信とセルラー通信との安定性が改善される。
【００６８】
好ましくは、通信モード要求指示に従って、処理モジュール101は、UEによって現在実施されているサービスの属性が第1の切替え条件を満たす場合、通信モード要求指示によって指示される通信モードにUEが切り替わることができると判定するようにさらに構成されるか、または
処理モジュール101は、UEによって現在実施されているサービスの属性とプリセットサービス優先度とが第2の切替え条件を満たす場合、通信モード要求指示によって指示される通信モードにUEが切り替わることができると判定するようにさらに構成される。
【００６９】
さらに、受信モジュール100が、ユーザ機器UEによって送信された通信モード要求指示を受信する実現可能な実装様式は以下の通りである。
【００７０】
受信モジュール100は、UEによって送信されたRRC接続セットアップ完了メッセージを受信するように特に構成され、RRC接続セットアップ完了メッセージは発見信号受信指示を含み、発見信号受信指示は、UEがD2D通信を実施していることを指示するために使用される。
【００７１】
対応して、処理モジュール101は、発見信号受信指示に従って、UEによって使用される通信モードがセルラー通信であると判定するように特に構成される。
【００７２】
場合によっては、D2D通信におけるダウンリンク信号とセルラー通信におけるダウンリンク信号との間の衝突を回避するために、
処理モジュール101は、D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させるようにさらに構成され、
送信モジュール102は、UEにダウンリンク信号サブフレーム変位指示を送信するようにさらに構成され、ダウンリンク信号サブフレーム変位指示は、UEが、リソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される。
【００７３】
D2D通信におけるアップリンク信号とセルラー通信におけるアップリンク信号との間の衝突を回避するために、
受信モジュール100は、UEによって送信されたアップリンク信号サブフレーム変位指示を受信するようにさらに構成され、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEが、セルラー通信におけるアップリンク信号に対応するサブフレームを変位させたことを指示するために使用され、
受信モジュール100は、リソースの異なる時間領域ロケーションにおいて、アップリンク信号サブフレーム変位指示に従ってD2D通信におけるアップリンク信号および／またはセルラー通信におけるアップリンク信号を受信するようにさらに構成される。
【００７４】
具体的には、UEが、半永続的スケジューリングリソースの特性に基づいて、セルラー通信における信号を受信するのを遅延させるように、リソースは半永続的スケジューリングリソースである。
【００７５】
図2は、本発明の一実施形態による別のユーザ機器の概略構造図である。ユーザ機器は、モバイルフォン、セルラーデバイス間機能を有する端末デバイスなどであり得る。図2を参照すると、本装置は、受信モジュール200と、処理モジュール201と、送信モジュール202とを含む。
【００７６】
送信モジュール202は、基地局に通信モード要求指示を送信するように構成される。
【００７７】
通信モード要求指示は、UEが使用する必要がある通信モードを指示するために使用され、通信モードはデバイス間D2D通信またはセルラー通信を含む。
【００７８】
受信モジュール200は、基地局によって送信され、UEによって使用される判定された通信モードに関する情報を受信するように構成され、情報は通信モード要求指示に従って基地局によって判定され、情報は、UEによって使用され基地局によって判定された通信モードに対応する。
【００７９】
処理モジュール201は、情報に対応する通信モードを使用することによって通信を実施するように構成される。
【００８０】
本発明のこの実施形態において提供されるユーザ機器によれば、送信モジュールは基地局に通信モード要求指示を送信し、通信モード要求指示は、UEが使用する必要がある通信モードを指示するために使用され、通信モードはデバイス間D2D通信またはセルラー通信を含み、受信モジュールは、基地局によって送信され、UEによって使用される判定された通信モードに関する情報を受信し、情報は通信モード要求指示に従って基地局によって判定され、情報は、UEによって使用され基地局によって判定された通信モードに対応し、処理モジュールは、情報に対応する通信モードを使用することによって通信を実施する。このようにして、UEは、発見信号通信またはセルラー信号通信のいずれかを実施し、したがって、UEの2つの通信様式間の衝突が回避され、UEのD2D通信とセルラー通信との安定性が改善される。
【００８１】
好ましくは、送信モジュール202が基地局に報告メッセージを送信する前に、処理モジュール201は、通信ステータス情報を更新するようにさらに構成され、通信ステータス情報は、UEが使用する必要がある通信モードを指示するために使用される。
【００８２】
好ましくは、D2D通信が実施されており、無線リソース制御RRC接続がセットアップされる必要があるとき、送信モジュール202は、基地局にRRC接続セットアップ完了メッセージを送信するように特に構成され、すなわち、RRC接続セットアップ完了メッセージは通信モード要求指示の一実装形態である。RRC接続セットアップ完了メッセージは発見信号受信指示を含み、発見信号受信指示は、UEがD2D通信を実施していることを指示するために使用される。
【００８３】
受信モジュール200は、基地局によって送信され、UEによって使用される判定された通信モードに関する情報を受信するように特に構成され、情報はセルラー通信に対応する。
【００８４】
場合によっては、D2D通信におけるダウンリンク信号とセルラー通信におけるダウンリンク信号との間の衝突を回避するために、
受信モジュール200は、基地局によって送信されたダウンリンク信号サブフレーム変位指示を受信するようにさらに構成され、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局が、セルラー通信におけるダウンリンク信号に対応するサブフレームを変位させたことを指示するために使用され、
受信モジュール200は、リソースの異なる時間領域ロケーションにおいて、ダウンリンク信号サブフレーム変位指示に従ってD2D通信におけるダウンリンク信号および／またはセルラー通信におけるダウンリンク信号を受信するようにさらに構成される。
【００８５】
D2D通信におけるアップリンク信号とセルラー通信におけるアップリンク信号との間の衝突を回避するために、
処理モジュール201は、D2D通信におけるアップリンク信号とセルラー通信におけるアップリンク信号とがリソースの時間領域ロケーションにおいて重複する場合、D2D通信におけるアップリンク信号とセルラー通信におけるアップリンク信号とがリソースの異なる時間領域ロケーションに設定されるように、セルラー通信におけるアップリンク信号に対応するサブフレームを変位させるようにさらに構成され、
送信モジュール202は、基地局にアップリンク信号サブフレーム変位指示を送信するようにさらに構成され、アップリンク信号サブフレーム変位指示は、セルラー通信におけるアップリンク信号に対応するサブフレームが変位されたことを指示するために使用される。
【００８６】
セルラー通信における信号に対応するリソースの時間領域ロケーションと、D2D通信における信号に対応するリソースの時間領域ロケーションとは互いに重複しない。リソースは半永続的スケジューリングリソースである。
【００８７】
さらに、D2D通信機能を有するUEが発見信号を受信しているとき、UEは、UEがページングされるかどうかを判定するためにネットワークのページングチャネルを受信する必要がある。セルラー通信におけるページング信号とD2D通信における発見信号との間の衝突を回避するために、本発明の以下の実施形態は、発見信号とセルラー信号とのための共存装置を提供する。図3は、本発明の一実施形態による別の基地局の概略構造図である。基地局は、図1に示されている上記の装置の機能および対応する技術的効果をも発揮することができる。図3を参照すると、基地局は、処理モジュール301と送信モジュール302とを含む。
【００８８】
処理モジュール301は、ページングフレームに対応する時間領域リソースと発見フレームに対応する時間領域リソースとが重複しないと判定することと、ページングフレームに対応する時間領域リソースと発見フレームに対応する時間領域リソースとが重複する場合、ページングフレームに対応する時間領域リソースと発見フレームに対応する時間領域リソースとが重複しないように設定することとを行うように構成される。
【００８９】
送信モジュール302は、発見フレームに対応する受信情報をユーザ機器UEに配信するか、またはページングフレームに対応する受信情報をUEに配信するように構成され、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。
【００９０】
本発明のこの実施形態において提供される基地局によれば、処理モジュールは、ページングフレームに対応する時間領域リソースと発見フレームに対応する時間領域リソースとが重複しないと判定し、ページングフレームに対応する時間領域リソースと発見フレームに対応する時間領域リソースとが重複する場合、ページングフレームに対応する時間領域リソースと発見フレームに対応する時間領域リソースとが重複しないように設定し、送信モジュールは、発見フレームに対応する受信情報をユーザ機器UEに配信するか、またはページングフレームに対応する受信情報をUEに配信し、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。このようにして、UEは、発見信号通信またはページング信号通信のいずれかを実施し、したがって、UEの2つの通信様式間の衝突が回避され、UEのD2D通信とセルラー通信との安定性が改善される。
【００９１】
場合によっては、処理モジュール301は、ページングフレームに対応する時間領域リソースと発見フレームに対応する時間領域リソースとが重複する場合、発見フレームに対応する時間領域リソースが発見通信のみを実施するために使用されると判定するように特に構成される。
【００９２】
図3に示されている基地局のソリューションに対応して、以下で、特定の実施形態を使用することによってUEのソリューションについて説明する。
【００９３】
図4は、本発明の一実施形態による別のユーザ機器の概略構造図である。ユーザ機器は、図2に示されている上記の装置の機能および対応する技術的効果をも発揮することができる。図4を参照すると、ユーザ機器は、受信モジュール400と通信モジュール401とを含む。
【００９４】
受信モジュール400は、発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するようにUEに命令するために使用されるように構成される。
【００９５】
通信モジュール401は、発見フレームに対応する時間領域リソース上で発見通信を実施するか、またはページングフレームに対応する時間領域リソース上でページング通信を実施するように構成される。
【００９６】
ページングフレームに対応する時間領域リソースと発見フレームに対応する時間領域リソースとは重複しない。
【００９７】
通信モジュール401は、通信のために使用されるインターフェースを特に含み得ることに留意されたい。複数のインターフェースがあり得、インターフェースは、データを受信するために使用され得るかまたはデータを送信するために使用され得る。受信モジュール400はまた、通信モジュール401に組み込まれるべきインターフェースとして使用され得る。さらに、通信モジュール401は、計算機能を有するプロセッサと、記憶機能を有するメモリとをさらに含み得る。
【００９８】
本発明のこの実施形態において提供されるユーザ機器によれば、受信モジュールは、発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するようにUEに命令するために使用されるように構成され、通信モジュールは、発見フレームに対応する時間領域リソース上で発見通信を実施するか、またはページングフレームに対応する時間領域リソース上でページング通信を実施するように構成され、ページングフレームに対応する時間領域リソースと発見フレームに対応する時間領域リソースとは重複しない。このようにして、UEは、発見信号通信またはページング信号通信のいずれかを実施し、したがって、UEの2つの通信様式間の衝突が回避され、UEのD2D通信とセルラー通信との安定性が改善される。
【００９９】
場合によっては、通信モジュール401は、
発見フレームに対応する時間領域リソース上で、別のUEによって送信された発見信号を受信するか、もしくは発見フレームに対応する時間領域リソース上で別のUEに発見信号を送信するように特に構成されるか、または
通信モジュール401は、ページングフレームに対応する時間領域リソース上で、基地局によって送信されたページング信号を受信するか、もしくはページングフレームに対応する時間領域リソース上で基地局にページング信号を送信するように特に構成される。
【０１００】
図5は、本発明の一実施形態による別の基地局の概略構造図である。基地局はeNB、小型セル、リレーデバイスなどであり得、本装置は、図1に示されている装置の機能および技術的効果と同じ機能および技術的効果を実装することができる。図5を参照すると、本装置は、受信機500と、プロセッサ501と、送信機502とを含む。
【０１０１】
受信機500は、ユーザ機器UEによって送信された通信モード要求指示を受信するように構成される。
【０１０２】
通信モード要求指示は、UEが使用する必要がある通信モードを指示するために使用され、通信モードはデバイス間D2D通信またはセルラー通信を含む。
【０１０３】
プロセッサ501は、通信モード要求指示に従って、UEによって使用される通信モードを判定するように構成される。
【０１０４】
送信機502は、UEによって使用される判定された通信モードに関する情報をUEに送信するように構成される。
【０１０５】
本発明のこの実施形態において提供される基地局によれば、受信機は、ユーザ機器UEによって送信された通信モード要求指示を受信し、通信モード要求指示は、UEが使用する必要がある通信モードを指示するために使用され、通信モードはデバイス間D2D通信またはセルラー通信を含み、プロセッサは、通信モード要求指示に従って、UEによって使用される通信モードを判定し、送信機は、UEによって使用される判定された通信モードに関する情報をUEに送信する。このようにして、UEは、UEによって報告された通信モード要求指示に従って、発見信号通信またはセルラー信号通信のいずれかを実施するように命令され、したがって、UEの2つの通信様式間の衝突が回避され、UEのD2D通信とセルラー通信との安定性が改善される。
【０１０６】
好ましくは、プロセッサ501は、UEによって現在実施されているサービスの属性が第1の切替え条件を満たす場合、通信モード要求指示によって指示される通信モードにUEが切り替わることができると判定するようにさらに構成されるか、または
プロセッサ501は、UEによって現在実施されているサービスの属性とプリセットサービス優先度とが第2の切替え条件を満たす場合、通信モード要求指示によって指示される通信モードにUEが切り替わることができると判定するようにさらに構成される。
【０１０７】
さらに、受信機500は、UEによって送信されたRRC接続セットアップ完了メッセージを受信するように特に構成され、RRC接続セットアップ完了メッセージは発見信号受信指示を含み、発見信号受信指示は、UEがD2D通信を実施していることを指示するために使用される。
【０１０８】
プロセッサ501は、発見信号受信指示に従って、UEによって使用される通信モードがセルラー通信であると判定するように特に構成される。
【０１０９】
場合によっては、D2D通信におけるダウンリンク信号とセルラー通信におけるダウンリンク信号との間の衝突を回避するために、
プロセッサ501は、D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させるようにさらに構成され、
送信機502は、UEにダウンリンク信号サブフレーム変位指示を送信するようにさらに構成され、ダウンリンク信号サブフレーム変位指示は、UEが、リソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される。
【０１１０】
D2D通信におけるアップリンク信号とセルラー通信におけるアップリンク信号との間の衝突を回避するために、
受信機500は、UEによって送信されたアップリンク信号サブフレーム変位指示を受信するようにさらに構成され、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEが、セルラー通信におけるアップリンク信号に対応するサブフレームを変位させたことを指示するために使用され、
受信機500は、リソースの異なる時間領域ロケーションにおいて、アップリンク信号サブフレーム変位指示に従ってD2D通信におけるアップリンク信号および／またはセルラー通信におけるアップリンク信号を受信するようにさらに構成される。
【０１１１】
リソースは半永続的スケジューリングリソースである。
【０１１２】
図6は、本発明の一実施形態による別のユーザ機器の概略構造図である。ユーザ機器は、図2に示されている装置の機能および技術的効果と同じ機能および技術的効果を実装することができる。図6を参照すると、ユーザ機器は、受信機600と、プロセッサ601と、送信機602とを含む。
【０１１３】
送信機602は、基地局に通信モード要求指示を送信するように構成される。
【０１１４】
通信モード要求指示は、UEが使用する必要がある通信モードを指示するために使用され、通信モードはデバイス間D2D通信またはセルラー通信を含む。
【０１１５】
受信機600は、基地局によって送信され、UEによって使用される判定された通信モードに関する情報を受信するように構成され、情報は通信モード要求指示に従って基地局によって判定され、情報は、UEによって使用され基地局によって判定された通信モードに対応する。
【０１１６】
プロセッサ601は、情報に対応する通信モードを使用することによって通信を実施するように構成される。
【０１１７】
本発明のこの実施形態において提供されるユーザ機器によれば、送信機は基地局に通信モード要求指示を送信し、通信モード要求指示は、UEが使用する必要がある通信モードを指示するために使用され、通信モードはデバイス間D2D通信またはセルラー通信を含み、受信機は、基地局によって送信され、UEによって使用される判定された通信モードに関する情報を受信し、情報は通信モード要求指示に従って基地局によって判定され、情報は、UEによって使用され基地局によって判定された通信モードに対応し、プロセッサは、情報に対応する通信モードを使用することによって通信を実施する。このようにして、UEは、発見信号通信またはセルラー信号通信のいずれかを実施し、したがって、UEの2つの通信様式間の衝突が回避され、UEのD2D通信とセルラー通信との安定性が改善される。
【０１１８】
好ましくは、プロセッサ601は、通信ステータス情報を更新するようにさらに構成され、通信ステータス情報は、UEが使用する必要がある通信モードを指示するために使用される。
【０１１９】
好ましくは、D2D通信が実施されており、無線リソース制御RRC接続がセットアップされる必要があるとき、送信機602は、基地局にRRC接続セットアップ完了メッセージを送信するようにさらに構成され、RRC接続セットアップ完了メッセージは発見信号受信指示を含み、発見信号受信指示は、UEがD2D通信を実施していることを指示するために使用される。
【０１２０】
受信機600は、基地局によって送信され、UEによって使用される判定された通信モードに関する情報を受信するように特に構成され、情報はセルラー通信に対応する。
【０１２１】
場合によっては、D2D通信におけるダウンリンク信号とセルラー通信におけるダウンリンク信号との間の衝突を回避するために、
受信機600は、基地局によって送信されたダウンリンク信号サブフレーム変位指示を受信するようにさらに構成され、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局が、セルラー通信におけるダウンリンク信号に対応するサブフレームを変位させたことを指示するために使用され、
受信機600は、リソースの異なる時間領域ロケーションにおいて、ダウンリンク信号サブフレーム変位指示に従ってD2D通信におけるダウンリンク信号および／またはセルラー通信におけるダウンリンク信号を受信するようにさらに構成される。
【０１２２】
D2D通信におけるアップリンク信号とセルラー通信におけるアップリンク信号との間の衝突を回避するために、
プロセッサ601は、D2D通信におけるアップリンク信号とセルラー通信におけるアップリンク信号とがリソースの時間領域ロケーションにおいて重複する場合、D2D通信におけるアップリンク信号とセルラー通信におけるアップリンク信号とがリソースの異なる時間領域ロケーションに設定されるように、セルラー通信におけるアップリンク信号に対応するサブフレームを変位させるようにさらに構成され、
送信機602は、基地局にアップリンク信号サブフレーム変位指示を送信するようにさらに構成され、アップリンク信号サブフレーム変位指示は、セルラー通信におけるアップリンク信号に対応するサブフレームが変位されたことを指示するために使用される。
【０１２３】
リソースは半永続的スケジューリングリソースである。
【０１２４】
さらに、D2D通信機能を有するUEが発見信号を受信しているとき、UEは、UEがページングされるかどうかを判定するためにネットワークのページングチャネルを受信する必要がある。セルラー通信におけるページング信号とD2D通信における発見信号との間の衝突を回避するために、本発明の以下の実施形態は、発見信号とセルラー信号とのための共存装置を提供する。図7は、本発明の一実施形態による別の基地局の概略構造図である。基地局は、図1または図3に示されている上記の装置の機能および対応する技術的効果をも発揮することができる。図7を参照すると、本装置は、プロセッサ701と送信機702とを含む。
【０１２５】
プロセッサ701は、ページングフレームに対応する時間領域リソースと発見フレームに対応する時間領域リソースとが重複しないと判定することと、ページングフレームに対応する時間領域リソースと発見フレームに対応する時間領域リソースとが重複する場合、ページングフレームに対応する時間領域リソースと発見フレームに対応する時間領域リソースとが重複しないように設定することとを行うように構成される。
【０１２６】
送信機702は、発見フレームに対応する受信情報をユーザ機器UEに配信するか、またはページングフレームに対応する受信情報をUEに配信するように構成され、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。
【０１２７】
本発明のこの実施形態において提供される基地局によれば、プロセッサは、ページングフレームに対応する時間領域リソースと発見フレームに対応する時間領域リソースとが重複しないと判定し、ページングフレームに対応する時間領域リソースと発見フレームに対応する時間領域リソースとが重複する場合、ページングフレームに対応する時間領域リソースと発見フレームに対応する時間領域リソースとが重複しないように設定し、送信機は、発見フレームに対応する受信情報をユーザ機器UEに配信するか、またはページングフレームに対応する受信情報をUEに配信し、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。このようにして、UEは、発見信号通信またはページング信号通信のいずれかを実施し、したがって、UEの2つの通信様式間の衝突が回避され、UEのD2D通信とセルラー通信との安定性が改善される。
【０１２８】
場合によっては、プロセッサ701は、ページングフレームに対応する時間領域リソースと発見フレームに対応する時間領域リソースとが重複する場合、発見フレームに対応する時間領域リソースが発見通信のみを実施するために使用されると判定するように特に構成される。
【０１２９】
図7に示されている基地局のソリューションに対応して、以下で、特定の実施形態を使用することによってUEのソリューションについて説明する。
【０１３０】
図8は、本発明の一実施形態による別のユーザ機器の概略構造図である。ユーザ機器は、図2または図6に示されている上記の装置の機能および対応する技術的効果をも発揮することができる。図8を参照すると、本装置は、プロセッサ801と、メモリ802と、システムバス803とを含む。
【０１３１】
プロセッサ801およびメモリ802は、システムバス803を使用することによって接続され、相互通信を実装する。
【０１３２】
メモリ802は、コンピュータ実行命令を記憶するように構成される。
【０１３３】
プロセッサ801は、通信モード判定装置が、発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するように、コンピュータ実行命令を実行するように構成される。
【０１３４】
プロセッサ801は、発見フレームに対応する時間領域リソース上で発見通信を実施するか、またはページングフレームに対応する時間領域リソース上でページング通信を実施するようにさらに構成される。
【０１３５】
ページングフレームに対応する時間領域リソースと発見フレームに対応する時間領域リソースとは重複しない。
【０１３６】
本発明のこの実施形態において提供されるユーザ機器によれば、プロセッサは、発見フレームに対応し基地局によって配信された受信情報を受信し、発見フレームに対応する受信情報が、発見フレームに対応する時間領域リソース上で発見通信のみを実施するようにUEに命令するために使用されるか、または、ページングフレームに対応し基地局によって配信された受信情報を受信し、ページングフレームに対応する受信情報が、ページングフレームに対応する時間領域リソース上でページング通信のみを実施するようにUEに命令するために使用され、プロセッサは、発見フレームに対応する時間領域リソース上で発見通信を実施するか、またはページングフレームに対応する時間領域リソース上でページング通信を実施し、ページングフレームに対応する時間領域リソースと発見フレームに対応する時間領域リソースとは重複しない。このようにして、UEは、発見信号通信またはセルラー信号通信のいずれかを実施し、したがって、UEの2つの通信様式間の衝突が回避され、UEのD2D通信とセルラー通信との安定性が改善される。
【０１３７】
好ましくは、プロセッサ801は、
発見フレームに対応する時間領域リソース上で、別のUEによって送信された発見信号を受信するか、もしくは発見フレームに対応する時間領域リソース上で別のUEに発見信号を送信するように特に構成されるか、または
ページングフレームに対応する時間領域リソース上で、基地局によって送信されたページング信号を受信するか、もしくはページングフレームに対応する時間領域リソース上で基地局にページング信号を送信するように特に構成される。
【０１３８】
さらに、本発明の一実施形態は、発見信号とセルラー信号とのための共存システムをさらに提供する。本システムは、上記の実施形態に示されている、少なくとも1つの基地局と、少なくとも1つのUEとを含む。基地局は、対応する技術的効果を実装するために、図1、図3、図5、および／または図7に示されている上記の装置の構造を使用し得る。UEは、対応する技術的効果を実装するために、図2、図4、図6、および／または図8に示されている上記の装置の構造を使用し得る。さらに、本システムは、データ送信プロセスにおいて別のネットワーク要素、例えば、ゲートウェイまたはサーバを含み得る。
【０１３９】
特定の実施形態を使用することによって、以下で、送信信号とセルラー信号との間の衝突を回避し、衝突によって引き起こされる通信安定性の低減を回避するために、発見信号とセルラー信号とのための共存方法を提供する。図9は、本発明の一実施形態による発見信号とセルラー信号とのための共存方法の概略フローチャートである。本方法を実行するためのエンティティは、対応する技術的効果を実装するために、図1、図3、図5、および／または図7に示されている上記の装置の構造を使用し得る。具体的には、本装置はeNB、基地局、小型セル、リレーデバイスなどである。別段に明記されていない限り、eNBは、説明のための以下の実施形態において一例として使用される。図9を参照すると、本方法は以下のステップを含む。
【０１４０】
ステップ100：ユーザ機器UEによって送信された通信モード要求指示を受信する。
【０１４１】
通信モード要求指示は、UEが使用する必要がある通信モードを指示するために使用され、通信モードはデバイス間D2D通信またはセルラー通信を含む。
【０１４２】
ステップ101：通信モード要求指示に従って、UEによって使用される通信モードを判定する。
【０１４３】
ステップ102：UEによって使用される判定された通信モードに関する情報をUEに送信する。
【０１４４】
本発明のこの実施形態において提供される通信モード判定方法によれば、ユーザ機器UEによって送信された通信モード要求指示が受信され、通信モード要求指示は、UEが使用する必要がある通信モードを指示するために使用され、通信モードはデバイス間D2D通信またはセルラー通信を含み、UEによって使用される通信モードが通信モード要求指示に従って判定され、UEによって使用される判定された通信モードに関する情報がUEに送信される。このようにして、UEは、UEによって報告された通信モード要求指示に従って、発見信号通信またはセルラー信号通信のいずれかを実施するように命令され、したがって、UEの2つの通信様式間の衝突が回避され、UEのD2D通信とセルラー通信との安定性が改善される。
【０１４５】
図9に基づいて、図10は、本発明の一実施形態による発見信号とセルラー信号とのための別の共存方法の概略フローチャートである。図10を参照すると、ステップ101の前に、本方法は以下のステップをさらに含む。
【０１４６】
ステップ103：UEによって現在実施されているサービスの属性が第1の切替え条件を満たす場合、通信モード要求指示によって指示される通信モードにUEが切り替わることができると判定する。
【０１４７】
具体的には、UEによって現在実施されているサービスの属性が第1の切替え条件を満たさない場合、それは、通信モード要求指示に対応する通信モードにUEが切り替わることができないことを指示する。
【０１４８】
さらに、第1の切替え条件は複数の実装形態を有し得る。例えば、UEは、現在ボイスオーバーインターネットプロトコル（VoIP）サービスを実施している。音声は高い遅延要件を有するので、eNBは、UEがD2D通信において発見信号を受信することを可能にしないことを決定し、次いで、発見信号受信を遅延させるようにUEに命令する。命令方法は以下の通りである。肯定応答RRCシグナリングは「発見信号受信を遅延させる（delay discovery reception）」である。別の例では、ダウンロードサービスが実施されており、より低い遅延要件を有する。eNBは、UEが発見信号を受信することを可能にされ得ると考え、次いで、次の隣接する発見信号に対応するサイクル内で発見信号を受信するようにUEに命令する。命令方法は以下の通りである。肯定応答RRCシグナリングは「今すぐに発見信号受信（discovery reception right now）」である。
【０１４９】
切替え後にD2D通信またはセルラー通信が適切に実施され得るとすれば、明らかに、第1の切替え条件は別の実装形態を有し得る。第1の切替え条件の特定の形態は、この実施形態において限定されない。
【０１５０】
図9に基づいて、図11は、本発明の一実施形態による発見信号とセルラー信号とのための別の共存方法の概略フローチャートである。図11を参照すると、ステップ101の前に、本方法は以下のステップをさらに含む。
【０１５１】
ステップ104：UEによって現在実施されているサービスの属性とプリセットサービス優先度とが第2の切替え条件を満たす場合、通信モード要求指示によって指示される通信モードにUEが切り替わることができると判定する。
【０１５２】
具体的には、UEによって現在実施されているサービスの属性とプリセットサービス優先度とが第2の切替え条件を満たさない場合、それは、通信モード要求指示に対応する通信モードにUEが切り替わることができないことを示す。
【０１５３】
さらに、第2の切替え条件は、UEサブスクリプション情報など、複数の実装形態を有し得る。発見信号が最低優先度を有するサービスとして設定された場合、eNBは、間欠受信（Discontinue Receiveing、略してDRX）非アクティブ期間（deactive period）内でのみ発見信号通信を実施すること、または別のサービスが存在しないときに発見信号通信を実施することをUEに要求するための指示を送信する。発見信号が非最低優先度として設定された場合、発見信号の優先度は、実施されている別のサービスの優先度と比較され、UEの受信は優先度の降順にスケジュールされる。発見信号の優先度がより高いとき、UEは発見信号通信を実施することが必要となり、すなわち、発見信号のサイクルが到来した後に、eNBは他のサービスデータをスケジュールしない。他の場合、UEは、発見信号通信を実施しないように命令される。
【０１５４】
場合によっては、D2D通信機能を有するUEがD2D発見（discovery）信号を受信しているとき、UEが別のサービスの通信を実施するためにRRCリンクをセットアップする必要がある場合、そのようなシナリオについて、以下で説明のための特定の例を使用する。
【０１５５】
RRCセットアッププロセスの時間領域と、UEがキャンプオンするセルにおける発見信号受信サイクルが同じであるかまたは重複するとき、UEは、発見信号受信を一時的に放棄することを要求され、基地局によって送信されたセルラーダウンリンク信号のみを受信する。RRCリンクセットアッププロセスの最後のステップにおけるメッセージは「RRC接続セットアップ完了（RRC connection setup complete）メッセージ」であり、このメッセージは、UEが発見信号を受信していることを指示するためにeNBに報告される。上記の報告メッセージは「RRC接続セットアップ完了メッセージ」である。さらに、メッセージにインジケータフィールド「発見信号受信中（discovery receiving）」が追加される。例えば、インジケータフィールドが「1」である場合、それは、発見信号が受信されていることを指示する。インジケータフィールドが「0」である場合、それは、発見信号が受信されていないことを指示する。
【０１５６】
eNBは、受信されたメッセージをパースし、UEが発見信号を受信していることを見つけ、UEが、ダウンリンク基地局によって送信されたセルラー信号と、別のD2D UEによって送信された発見信号とを同時に受信することが不可能であるとき、上記の実施形態におけるステップ101およびステップ102を実施する。
【０１５７】
さらに、ステップ100の実現可能な実装様式は以下の通りである。
【０１５８】
ステップ100a：UEによって送信されたRRC接続セットアップ完了メッセージを受信し、RRC接続セットアップ完了メッセージが発見信号受信指示を含み、発見信号受信指示は、UEがD2D通信を実施していることを指示するために使用される。
【０１５９】
対応して、ステップ101の実現可能な実装様式は以下の通りである。
【０１６０】
ステップ101a：発見信号受信指示に従って、UEによって使用される通信モードがセルラー通信であると判定する。
【０１６１】
場合によっては、D2D通信機能を有するUEが発見信号を受信しているとき、eNBは、UEがセルラー信号受信を遅延させることができ、発見信号とセルラー信号との間の衝突が回避されるように、UEのために半永続的スケジューリングリソース（Semi-static Persistent Scheduling Resource、略してSPS）を構成する。さらに、図12は、本発明の一実施形態による別の通信モード判定方法の概略フローチャートである。本方法を実行するためのエンティティは、対応する技術的効果を実装するために、図1、図3、図5、および／または図7に示されている上記の装置の構造を使用し得る。本方法は、図9から図11に対応する実施形態とともに実装され得るか、または独立して実装され得る。これは、本明細書では限定されない。具体的には、図12を参照すると、D2D通信におけるダウンリンク信号とセルラー通信におけるダウンリンク信号との間の衝突を回避するために、本方法は以下のステップを含む。
【０１６２】
ステップ200：D2D通信におけるダウンリンク信号とセルラー通信におけるダウンリンク信号とがリソースの時間領域ロケーションにおいて重複する場合、D2D通信におけるダウンリンク信号とセルラー通信におけるダウンリンク信号とがリソースの異なる時間領域ロケーションに設定されるように、セルラー通信におけるダウンリンク信号に対応するサブフレームを変位させる。
【０１６３】
ステップ201：UEにダウンリンク信号サブフレーム変位指示を送信し、ダウンリンク信号サブフレーム変位指示は、UEが、リソースの異なる時間領域ロケーションにおいて、ダウンリンク信号サブフレーム変位指示に従ってD2D通信におけるダウンリンク信号および／またはセルラー通信におけるダウンリンク信号を受信するように、セルラー通信におけるダウンリンク信号に対応するサブフレームが変位されたことをUEに通知するために使用される。
【０１６４】
図13は、本発明の一実施形態による別の通信モード判定方法の概略フローチャートである。本方法を実行するためのエンティティは、対応する技術的効果を実装するために、図1、図3、図5、および／または図7に示されている上記の装置の構造を使用し得る。本方法は、図9から図11に対応する実施形態とともに実装され得るか、または独立して実装され得る。これは、本明細書では限定されない。具体的には、図13を参照すると、D2D通信におけるアップリンク信号とセルラー通信におけるアップリンク信号との間の衝突を回避するために、本方法は以下のステップを含む。
【０１６５】
ステップ300：UEによって送信されたアップリンク信号サブフレーム変位指示を受信し、アップリンク信号サブフレーム変位指示は、D2D通信におけるアップリンク信号とセルラー通信におけるアップリンク信号とがリソースの時間領域ロケーションにおいて重複するとき、D2D通信におけるアップリンク信号とセルラー通信におけるアップリンク信号とがリソースの異なる時間領域ロケーションに設定されるように、UEが、セルラー通信におけるアップリンク信号に対応するサブフレームを変位させたことを指示するために使用される。
【０１６６】
ステップ301：リソースの異なる時間領域ロケーションにおいて、アップリンク信号サブフレーム変位指示に従ってD2D通信におけるアップリンク信号および／またはセルラー通信におけるアップリンク信号を受信する。
【０１６７】
具体的には、図12または図13に対応する実施形態では、eNBによってUEに割り振られたリソースは、ある時間期間の間周期的に使用され得る。リソースは構成可能または変更可能である。すなわち、リソースは半永続的スケジューリングリソースである。
【０１６８】
本発明のこの実施形態において提供される発見信号とセルラー信号とのための共存方法によれば、D2D通信における信号とセルラー通信における信号とがリソースの時間領域ロケーションにおいて重複するかどうかが判定され、D2D通信における信号とセルラー通信における信号とがリソースの時間領域ロケーションにおいて重複する場合、D2D通信における信号とセルラー通信における信号とがリソースの異なる時間領域ロケーションにおいて設定されるように、セルラー通信における信号に対応するサブフレームが変位される。このようにして、D2D通信とセルラー通信は互いに無関係であり、相互衝突が回避され、D2D通信とセルラー通信との安定性が改善される。
【０１６９】
さらに、D2D通信における信号とセルラー通信における信号が互いに無関係になることを可能にするために、セルラー通信における信号に対応するサブフレームをどのように変位させるかについて、以下で、説明のための一例としていくつかの実現可能な実装様式を使用する。
【０１７０】
図14から図16は、本発明の一実施形態によるサブフレーム変位の概略図である。一例としてダウンリンク信号が使用される。D2D通信において発見信号が使用され、セルラー通信においてSPS信号が使用される。具体的には、最初に、図14を参照すると、図14の上側部分は発見信号の時間軸であり、下側部分はSPS信号の時間軸である。図14から、SPS信号と発見信号とが重複することがわかる。この場合、実現可能な様式は、発見信号と重複するSPS信号のサブフレーム2を変位させ、サブフレーム2を、次のSPS信号に対応するサイクルに変位させることである。
【０１７１】
図15を参照すると、上側部分は発見信号の時間軸であり、下側部分はSPS信号の時間軸である。SPS信号と発見信号とが重複する。この場合、別の実現可能な様式は、重複するサブフレーム2を、次のSPS信号に対応するサイクル内のサブフレーム3に並進させることであり、この次のサイクル内のサブフレーム2はSPS信号送信のためにも使用される。すなわち、サブフレーム2に対応するSPS信号と、サブフレーム3に対応するSPS信号とは1サイクル内で送信される。
【０１７２】
図16を参照すると、上側部分は発見信号の時間軸であり、下側部分はSPS信号の時間軸である。SPS信号と発見信号とが重複する。この場合、図16から、SPS信号に対応するサイクルと、発見信号に対応するサイクルとがまったく重複しないことがわかる。例えば、図16のSPS信号に対応するサイクル内で、サブフレーム8およびサブフレーム9は発見信号と重複しない。したがって、別の実現可能な様式は、重複するサブフレーム2を、同じサイクル内の重複しないサブフレームに並進させること、例えば、サブフレーム8に並進させることである。
【０１７３】
図14から図16に示されているサブフレーム変位の特定の実装様式は以下の通りである。
【０１７４】
Dは発見信号が現れるサイクルの長さであり、各サイクル内の発見フレーム番号の初期ロケーションがDis_Fであり、発見信号の初期サブフレームの数がNdoffであり、発見信号が持続するサブフレームの量がNcであり、SPS信号のダウンリンクフレームが現れるサイクルの長さ内で、ダウンリンクSPS信号の各データパケットによって占有される持続時間は、サブフレーム番号がNsである1つのサブフレームである（サブフレーム番号は0〜9にわたる）と仮定する。
【０１７５】
SFNiがi番目のシステムサブフレーム番号である場合、SFNi mod Dが［Dis_F，（Dis_F×10＋Ndoff＋Nc）／10］内に入るとき、およびSFNi mod Dが（SFNi mod（SPS DL frame cycle））サイクル内にも入るとき（すなわち、発見信号のサブフレームのフレーム番号がSPS DLサブフレームのフレーム番号と同じである）、すなわち、発見信号のサブフレームがSPS DLダウンリンクサブフレームと同じ場合：Nd＝SPS subframe Ns、ただし、Ndは発見信号のサブフレームの数であり、
eNBは、NsをSFNi＋（Dis_F×10＋Ndoff＋Nc）／10＋1フレーム中のNsサブフレームに変位させ、UEも、SFNi＋（Dis_F×10＋Ndoff＋Nc）／10＋1中で、ダウンリンク基地局によって送信された信号を受信する。
【０１７６】
さらに、可能な変位方法は、SPS DLサブフレームを、発見信号のサブフレームのうちの最後のサブフレームの後に位置するサブフレームに変更することであり、すなわち、フレーム番号はSFNi＋（Dis_F×10＋Ndoff＋Nc）／10であり、サブフレーム番号は（Ndoff＋Nc＋1）mod 10である。
【０１７７】
eNBの上記の実施形態に対応して、以下で、特定の実施形態を使用することによってUE側のソリューションについて説明する。
【０１７８】
図17は、本発明のこの実施形態による発見信号とセルラー信号とのための別の共存方法の概略フローチャートである。本方法は、D2D通信機能を有するUEによって実行される。UEは、対応する技術的効果を実装するために、図2、図4、図6、および／または図8に示されている上記の装置の構造を使用し得る。具体的には、UEは、モバイルフォン、セルラーデバイス間機能を有する端末デバイスなどであり得る。図17を参照すると、本方法は以下のステップを含む。
【０１７９】
ステップ400：ユーザ機器UEが、基地局に通信モード要求指示を送信する。
【０１８０】
通信モード要求指示は、UEが使用する必要がある通信モードを指示するために使用され、通信モードはデバイス間D2D通信またはセルラー通信を含む。
【０１８１】
ステップ401：UEは、基地局によって送信され、UEによって使用される判定された通信モードに関する情報を受信する。
【０１８２】
具体的には、情報は、通信モード要求指示に従って基地局によって判定され、情報は、UEによって使用され基地局によって判定された通信モードに対応する。
【０１８３】
ステップ402：UEは、情報に対応する通信モードを使用することによって通信を実施する。
【０１８４】
本発明のこの実施形態において提供される発見信号とセルラー信号とのための共存方法によれば、ユーザ機器UEが基地局に通信モード要求指示を送信し、通信モード要求指示は、UEが使用する必要がある通信モードを指示するために使用され、通信モードはデバイス間D2D通信またはセルラー通信を含み、UEは、基地局によって送信され、UEによって使用される判定された通信モードに関する情報を受信し、情報は通信モード要求指示に従って基地局によって判定され、情報は、UEによって使用され基地局によって判定された通信モードに対応し、UEは、情報に対応する通信モードを使用することによって通信を実施する。このようにして、UEは、発見信号通信またはセルラー信号通信のいずれかを実施し、したがって、UEの2つの通信様式間の衝突が回避され、UEのD2D通信とセルラー通信との安定性が改善される。
【０１８５】
図17に基づいて、図18は、本発明の一実施形態による発見信号とセルラー信号とのための別の共存方法の概略フローチャートである。ステップ400の前に、本方法は以下のステップをさらに含む。
【０１８６】
ステップ403：UEは、通信ステータス情報を更新し、通信ステータス情報は、UEが使用する必要がある通信モードを指示するために使用される。
【０１８７】
具体的には、ステップ403の実現可能な実装様式は以下の通りである。（具体的にはRRCレイヤである）RANレイヤにおいて、UEは、近接サービスレイヤ（Prose layer）から、発見信号受信が開始することを指示する指示情報を受信し、通信ステータス情報を更新する、すなわち、UEによって必要とされる通信ステータス情報がD2D通信である。代替的に、別の実現可能な実装様式は以下の通りである。UEは、MACレイヤにおいて発見信号受信が必要とされることをRRCレイヤにおいて通知し、メディアアクセス制御制御要素（略してMAC CE）を使用することによってMACレイヤにおいてeNBに報告を送信し、MAC CEのコンテンツは以下の表1に示されている。
【０１８８】
【表１】
0006443543.tif 000002
【０１８９】
論理グループ識別子（Logical Group ID、略してLGID）は、MAC CEが、発見信号受信ステータスを報告するために使用されることを指示する。「発見信号受信ステータス（discovery receiving status）」は「発見信号受信開始（discovery reception start）」または「発見信号受信停止（discovery reception stop）」である。対応して、上記のステップ301において、eNBは、後で発見信号を受信するかまたはセルラーダウンリンク信号を受信し続けるようにUEに命令するために、物理ダウンリンク制御チャネル（Physical Downlink Control Channel、略してPDCCH）を送信する。eNBが物理ダウンリンク制御チャネルを送信することは、具体的には以下の通りである。PDCCH中で指示が搬送され、指示ビットは「受信することを可能にする」または「受信を遅延させる」である。
【０１９０】
ステップ400の実現可能な実装様式は以下の通りである。
【０１９１】
ステップ400a：UEは、基地局にRRC接続セットアップ完了メッセージを送信し、RRC接続セットアップ完了メッセージは発見信号受信指示を含み、発見信号受信指示は、UEがD2D通信を実施していることを指示するために使用される。
【０１９２】
ステップ400aに基づいて、ステップ401の実現可能な実装様式は以下の通りである。
【０１９３】
ステップ401a：UEは、基地局によって送信され、UEによって使用される判定された通信モードに関する情報を受信し、情報はセルラー通信に対応する。
【０１９４】
例えば、UEは、RRCレイヤにおいて、UEが「RRC接続（RRC_connected）モード」であることを見つけたとき、UEは、UEが後で発見信号を受信することを希望することを指示するために、eNBに「発見信号受信開始（discovery reception start）」を報告する。
【０１９５】
場合によっては、eNBが、上記の実施形態においてUEのために半永続的スケジューリングリソースを構成することに対応して、それに対応じて、D2D通信におけるダウンリンク信号とセルラー通信におけるダウンリンク信号との間の衝突を回避するために、UEは、基地局によって送信されたダウンリンク信号サブフレーム変位指示を受信し、ダウンリンク信号サブフレーム変位指示は、D2D通信におけるダウンリンク信号とセルラー通信におけるダウンリンク信号とがリソースの時間領域ロケーションにおいて重複するとき、D2D通信におけるダウンリンク信号とセルラー通信におけるダウンリンク信号とがリソースの異なる時間領域ロケーションに設定されるように、基地局が、セルラー通信におけるダウンリンク信号に対応するサブフレームを変位させたことを指示するために使用される。UEは、リソースの異なる時間領域ロケーションにおいて、ダウンリンク信号サブフレーム変位指示に従ってD2D通信におけるダウンリンク信号および／またはセルラー通信におけるダウンリンク信号を受信する。
【０１９６】
D2D通信におけるアップリンク信号とセルラー通信におけるアップリンク信号との間の衝突を回避するために、D2D通信におけるアップリンク信号とセルラー通信におけるアップリンク信号とがリソースの時間領域ロケーションにおいて重複する場合、UEは、D2D通信におけるアップリンク信号とセルラー通信におけるアップリンク信号とがリソースの異なる時間領域ロケーションに設定されるように、セルラー通信におけるアップリンク信号に対応するサブフレームを変位させる。UEは、基地局にアップリンク信号サブフレーム変位指示を送信し、アップリンク信号サブフレーム変位指示は、セルラー通信におけるアップリンク信号に対応するサブフレームが変位されたことを指示するために使用される。
【０１９７】
リソースは半永続的スケジューリングリソースである。
【０１９８】
UEが、基地局によって構成された半永続的スケジューリングリソースを受信した後に、基地局側で重複するサブフレームをどのように変位させるべきかについては、上記の実施形態において詳細に説明しており、詳細についてここで再び説明しないことに留意されたい。
【０１９９】
さらに、D2D通信機能を有するUEが発見信号を受信しているとき、UEは、UEがページングされるかどうかを判定するためにネットワークのページングチャネルを受信する必要がある。セルラー通信におけるページング信号とD2D通信における発見信号との間の衝突を回避するために、本発明の以下の実施形態は、発見信号とセルラー信号とのための共存方法を提供する。図19は、本発明の一実施形態による発見信号とセルラー信号とのための別の共存方法の概略フローチャートである。本方法はeNBによって実行され得、eNBは、図9から図11に対応する上記の実施形態においても機能を実施することができる。図19を参照すると、本方法は以下のステップを含む。
【０２００】
ステップ500：ページングフレームに対応する時間領域リソースと発見フレームに対応する時間領域リソースとが重複するかどうかを判定する。
【０２０１】
ステップ501：ページングフレームに対応する時間領域リソースと発見フレームに対応する時間領域リソースとが重複する場合、ページングフレームに対応する時間領域リソースと発見フレームに対応する時間領域リソースとが重複しないように設定する。
【０２０２】
ステップ502：発見フレームに対応する受信情報をユーザ機器UEに配信するか、またはページングフレームに対応する受信情報をUEに配信し、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。
【０２０３】
本発明のこの実施形態において提供される発見信号とセルラー信号とのための共存方法によれば、ページングフレームに対応する時間領域リソースと発見フレームに対応する時間領域リソースとが重複するかどうかが判定され、ページングフレームに対応する時間領域リソースと発見フレームに対応する時間領域リソースとが重複する場合、ページングフレームに対応する時間領域リソースと発見フレームに対応する時間領域リソースとは重複しないように設定され、発見フレームに対応する受信情報がユーザ機器UEに配信されるか、またはページングフレームに対応する受信情報がUEに配信され、発見フレームに対応する受信情報は、発見フレームに対応する時間領域リソース上で発見通信のみを実施するようにUEに命令するために使用され、ページングフレームに対応する受信情報は、ページングフレームに対応する時間領域リソース上でページング通信のみを実施するようにUEに命令するために使用される。このようにして、UEは、発見信号通信またはページング信号通信のいずれかを実施し、したがって、UEの2つの通信様式間の衝突が回避され、UEのD2D通信とセルラー通信との安定性が改善される。
【０２０４】
好ましくは、ステップ500の実現可能な実装様式は以下の通りである。
【０２０５】
ステップ500a：ページングフレームに対応する時間領域リソースと発見フレームに対応する時間領域リソースとが重複する場合、発見フレームに対応する時間領域リソースが発見通信のみを実施するために使用されると判定する。
【０２０６】
具体的には、UEが受信する必要があるページングチャネルは、時間領域に関するページングフレーム（Paging Frame、略してPF）であり、ページングフレームは、以下の式を使用することによって計算によって取得される。
【０２０７】
SFN mod T＝（T div N）×（UE_ID mod N）、ただし、
Tは間欠受信サイクル長であり、nBは4T、2T、T、T／2、T／4、T／8、T／16、またはT／32であり、Nはmin（T，nB）でり、サブフレーム番号計算パラメータNsはmax（1，nB／T）であり、UE_IDはIMSI mod 1024である。
【０２０８】
さらに、Nsと、ページングオケージョン（Paging Occasion、略してPO）サブフレームと、ページングサブフレーム番号（i_s）との間の対応が以下の表2および表3に示されている。
【０２０９】
【表２】
0006443543.tif 000003
【０２１０】
【表３】
0006443543.tif 000004
【０２１１】
表2に示されているすべてのパラメータは周波数分割複信（Frequency Division Duplexing、略してFDD）システムに適用可能であり、表3に示されているすべてのパラメータは時分割複信（Time Division Duplexing、略してTDD）システムに適用可能である。
【０２１２】
さらに、i_sは、以下の式を使用することによって取得され得る。
i_s＝floor（UE_ID／N）mod Ns
【０２１３】
UEがページング信号と発見信号とを受信することができることを保証するために、上記の方法は、ページング信号のページングフレームと発見信号の発見フレームとが互いに重複せず、衝突が回避されるように使用される。具体的には、実装様式は以下の通りであり得る。
【０２１４】
様式1：eNBは、ページングフレームと発見フレームとがいつ重複するか、すなわち、SFN mode D＝（T div N）×（UE_ID mod N）を指定し、ただし、Dは発見信号のサイクルであり、発見フレームは、ページング信号を送信するためにページングフレームとして使用され得ない。この場合、UEは、いずれのページングメッセージも受信する必要がない。
【０２１５】
様式2：ページングフレームと発見フレームとが重複するとき、eNBは、ページングフレームのロケーションと発見フレームのロケーションとが互いに無関係になり、衝突が回避されるように、ページングフレームのロケーションを更新する。
【０２１６】
図19に示されているeNB側のソリューションに対応して、以下で、特定の実施形態を使用することによってUE側のソリューションについて説明する。
【０２１７】
図20は、本発明の一実施形態による発見信号とセルラー信号とのための別の共存方法の概略フローチャートである。本方法はUEによって実行され得、UEは、図17および図18に対応する上記の実施形態においても機能を実施することができる。図20を参照すると、本方法は以下のステップを含む。
【０２１８】
ステップ600：ユーザ機器UEは、発見フレームに対応し基地局によって配信された受信情報を受信し、発見フレームに対応する受信情報は、発見フレームに対応する時間領域リソース上で発見通信のみを実施するようにUEに命令するために使用される。
【０２１９】
ステップ601：UEは、発見フレームに対応する時間領域リソース上で発見通信を実施する。
【０２２０】
ステップ602：UEは、ページングフレームに対応し基地局によって配信された受信情報を受信し、ページングフレームに対応する受信情報は、ページングフレームに対応する時間領域リソース上でページング通信のみを実施するようにUEに命令するために使用される。
【０２２１】
ステップ603：UEは、ページングフレームに対応する時間領域リソース上でページング通信を実施する。
【０２２２】
ページングフレームに対応する時間領域リソースと発見フレームに対応する時間領域リソースとは重複しないことに留意されたい。さらに、ステップ600およびステップ601が実施されているとき、ステップ602およびステップ603は実施されないことがあり、その逆も同様である。
【０２２３】
本発明のこの実施形態において提供される発見信号とセルラー信号とのための共存方法によれば、ユーザ機器UEは、発見フレームに対応し基地局によって配信された受信情報を受信し、発見フレームに対応する受信情報は、発見フレームに対応する時間領域リソース上で発見通信のみを実施するようにUEに命令するために使用され、UEは、発見フレームに対応する時間領域リソース上で発見通信を実施する。代替的に、UEは、ページングフレームに対応し基地局によって配信された受信情報を受信し、ページングフレームに対応する受信情報は、ページングフレームに対応する時間領域リソース上で発見通信のみを実施するようにUEに命令するために使用され、UEは、ページングフレームに対応する時間領域リソース上でページング通信を実施する。ページングフレームに対応する時間領域リソースと発見フレームに対応する時間領域リソースとは重複しない。このようにして、UEは、発見信号通信またはページング信号通信のいずれかを実施し、したがって、UEの2つの通信様式間の衝突が回避され、UEのD2D通信とセルラー通信との安定性が改善される。
【０２２４】
さらに、ステップ601の実現可能な実装様式は以下の通りである。
【０２２５】
ステップ601a：UEは、発見フレームに対応する時間領域リソース上で、別のUEによって送信された発見信号を受信するか、または発見フレームに対応する時間領域リソース上で別のUEに発見信号を送信する。
【０２２６】
ステップ603の実現可能な実装様式は以下の通りである。
【０２２７】
ステップ603a：UEは、ページングフレームに対応する時間領域リソース上で、基地局によって送信されたページング信号を受信するか、またはUEは、ページングフレームに対応する時間領域リソース上で基地局にページング信号を送信する。
【０２２８】
上記の説明を参照すると、ページングフレームに対応する時間領域リソースと、発見フレームに対応する時間領域リソースとは互いに無関係である。したがって、ページングフレームに対応する時間領域リソース上でページング通信が実施されたとき、発見フレームとの衝突はない。代替的に、UEが、対応する時間領域リソース上で発見通信を実施したとき、上記の説明から、衝突が同じく回避され得るように、ページング通信は、発見フレームに対応する時間領域リソース上で実施することを可能にされないことがわかる。
【０２２９】
当業者は、本方法実施形態のステップの全部または一部が、関連するハードウェアに命令するプログラムによって実装され得ることを理解されよう。プログラムはコンピュータ可読記憶媒体に記憶され得る。プログラムが動作すると、本方法実施形態のステップが実施される。上記の記憶媒体は、ROM、RAM、磁気ディスク、または光ディスクなど、プログラムコードを記憶することができる任意の媒体を含む。
【０２３０】
最後に、上記の実施形態は、本発明を限定するためではなく、本発明の技術的解決策について説明するためのものにすぎないものであることに留意されたい。本発明について上記の実施形態に関して詳細に説明したが、当業者は、本発明の実施形態の技術的解決策の範囲から逸脱することなく、上記の実施形態で説明した技術的解決策に修正をさらに加えるか、あるいはそれらの一部または全部の技術的特徴と等価な置換を製作し得ることを理解されたい。
【符号の説明】
【０２３１】
100  受信モジュール
101  処理モジュール
102  送信モジュール
200  受信モジュール
201  処理モジュール
202  送信モジュール
301  処理モジュール
302  送信モジュール
400  受信モジュール
401  通信モジュール
500  受信機
501  プロセッサ
502  送信機
600  受信機
601  プロセッサ
602  送信機
701  プロセッサ
702  送信機
801  プロセッサ
802  メモリ
803  システムバス
【図１】
0006443543.tif 000005
【図２】
0006443543.tif 000006
【図３】
0006443543.tif 000007
【図４】
0006443543.tif 000008
【図５】
0006443543.tif 000009
【図６】
0006443543.tif 000010
【図７】
0006443543.tif 000011
【図８】
0006443543.tif 000012
【図９】
0006443543.tif 000013
【図１０】
0006443543.tif 000014
【図１１】
0006443543.tif 000015
【図１２】
0006443543.tif 000016
【図１３】
0006443543.tif 000017
【図１４】
0006443543.tif 000018
【図１５】
0006443543.tif 000019
【図１６】
0006443543.tif 000020
【図１７】
0006443543.tif 000021
【図１８】
0006443543.tif 000022
【図１９】
0006443543.tif 000023
【図２０】
0006443543.tif 000024